(57)【要約】【課題】はんだの濡れ性を向上させたフラックス及びフラックスを用いたソルダペーストを提供する。【解決手段】フラックスは、イソシアヌル酸（カルボキシアルキル）付加体を０．５ｗｔ％以上２０．０ｗｔ％以下、ロジンを５．０ｗｔ％以上４５．０ｗｔ％以下含み、さらに溶剤を含む。イソシアヌル酸（カルボキシアルキル）付加体は、イソシアヌル酸モノ（カルボキシアルキル）付加体、イソシアヌル酸ビス（カルボキシアルキル）付加体、イソシアヌル酸トリス（カルボキシアルキル）付加体のいずれか、あるいは２種以上の組み合わせである。【選択図】無し【特許請求の範囲】
【請求項１】
イソシアヌル酸（２−カルボキシアルキル）付加体を含む
フラックス。
【請求項２】
さらに樹脂を含む
請求項１に記載のフラックス。
【請求項３】
樹脂はロジンである
請求項２に記載のフラックス。
【請求項４】
イソシアヌル酸（２−カルボキシアルキル）付加体を０．５ｗｔ％以上２０．０ｗｔ％以下含む
請求項１〜請求項３の何れか１項に記載のフラックス。
【請求項５】
イソシアヌル酸（２−カルボキシアルキル）付加体は、イソシアヌル酸モノ（２−カルボキシアルキル）付加体、イソシアヌル酸ビス（２−カルボキシアルキル）付加体、イソシアヌル酸トリス（２−カルボキシアルキル）付加体のいずれか、あるいは２種以上の組み合わせである
請求項１〜請求項４の何れか１項に記載のフラックス。
【請求項６】
イソシアヌル酸トリス（２−カルボキシアルキル）付加体は、トリス（２−カルボキシエチル）イソシアヌレート、トリス（２−カルボキシメチル）イソシアヌレート、トリス（２−カルボキシプロピル）イソシアヌレートであり、イソシアヌル酸ビス（２−カルボキシアルキル）付加体は、ビス（２−カルボキシエチル）イソシアヌレートである
請求項５に記載のフラックス。
【請求項７】
イソシアヌル酸（２−カルボキシアルキル）付加体を０．５ｗｔ％以上２０．０ｗｔ％以下、ロジンを５．０ｗｔ％以上５０．０ｗｔ％以下含み、さらに溶剤を含む
フラックス。
【請求項８】
イソシアヌル酸（２−カルボキシアルキル）付加体は、イソシアヌル酸モノ（２−カルボキシアルキル）付加体、イソシアヌル酸ビス（２−カルボキシアルキル）付加体、イソシアヌル酸トリス（２−カルボキシアルキル）付加体のいずれか、あるいは２種以上の組み合わせである
請求項７に記載のフラックス。
【請求項９】
イソシアヌル酸トリス（２−カルボキシアルキル）付加体は、トリス（２−カルボキシエチル）イソシアヌレート、トリス（２−カルボキシメチル）イソシアヌレート、トリス（２−カルボキシプロピル）イソシアヌレートであり、イソシアヌル酸ビス（２−カルボキシアルキル）付加体は、ビス（２−カルボキシエチル）イソシアヌレートである
請求項８に記載のフラックス。
【請求項１０】
さらにロジン以外の他の樹脂を０ｗｔ％以上３０．０ｗｔ％以下含む
請求項７〜請求項９の何れか１項に記載のフラックス。
【請求項１１】
ロジン以外の他の樹脂はアクリル樹脂である
請求項１０に記載のフラックス。
【請求項１２】
アクリル樹脂の含有量が０ｗｔ超である場合、アクリル樹脂とロジンの比率は０．１以上〜９．０以下である
請求項１１に記載のフラックス。
【請求項１３】
さらにイソシアヌル酸（２−カルボキシアルキル）付加体以外の他の有機酸を０ｗｔ％以上１０．０ｗｔ％以下、アミンを０ｗｔ％以上５．０ｗｔ％以下、有機ハロゲン化合物の含有量を０ｗｔ％以上５．０ｗｔ％以下、アミンハロゲン化水素酸塩を０ｗｔ％以上５．０ｗｔ％以下、チキソ剤を０ｗｔ％以上１０．０ｗｔ％以下含む
請求項７〜請求項１０の何れか１項に記載のフラックス。
【請求項１４】
請求項１〜請求項１３の何れか１項に記載のフラックスと、金属粉を含む
ソルダペースト。
【発明の詳細な説明】
【技術分野】
【０００１】
本発明は、はんだ付けに用いられるフラックス及びこのフラックスを用いたソルダペーストに関する。
【背景技術】
【０００２】
一般的に、はんだ付けに用いられるフラックスは、はんだ及びはんだ付けの対象となる接合対象物の金属表面に存在する金属酸化物を化学的に除去し、両者の境界で金属元素の移動を可能にする効能を持つ。このため、フラックスを使用してはんだ付けを行うことで、はんだと接合対象物の金属表面との間に金属間化合物が形成できるようになり、強固な接合が得られる。
【０００３】
ソルダペーストは、はんだ合金の粉末とフラックスとを混合させて得られた複合材料である。ソルダペーストを使用したはんだ付けは、基板の電極等のはんだ付け部にソルダペーストが印刷され、ソルダペーストが印刷されたはんだ付け部に部品が搭載され、リフロー炉と称される加熱炉で基板を加熱してはんだを溶融させて、はんだ付けが行われる。
【０００４】
特許文献１には、有機アミンのヨウ化水素酸塩と、６員環の芳香族系もしくは脂環族系モノカルボン酸、６員環の芳香族系もしくは脂環族系ジカルボン酸、イミダゾール系化合物またはそのカルボン酸塩との組み合わせにより、ヒートシンク部品等、接合面積の比較的大きい部品に好適とされたフラックス及びソルダペーストが記載されている。
【先行技術文献】
【特許文献】
【０００５】
【特許文献１】特開２０１４−１１７７３７号公報
【発明の概要】
【発明が解決しようとする課題】
【０００６】
はんだ付け時の熱履歴の違いによって実装後の仕上がり、例えば濡れ広がり性が全く違う場合がある。そのため、どのような熱履歴でも安定して仕上がりのよいはんだ付けが可能となるフラックスが求められる。
【０００７】
本発明は、このような課題を解決するためなされたもので、はんだの濡れ広がり性に優れたフラックス及びフラックスを用いたソルダペーストを提供することを目的とする。
【課題を解決するための手段】
【０００８】
フラックスにイソシアヌル酸（２−カルボキシアルキル）付加体を含むことで、接合部品へのはんだの濡れ性が改善できることを見出した。
【０００９】
そこで、本発明は、イソシアヌル酸（２−カルボキシアルキル）付加体を含むフラックスである。
【００１０】
本発明のフラックスは、さらに樹脂を含むことが好ましく、樹脂がロジンであることが好ましい。また、本発明のフラックスは、イソシアヌル酸（２−カルボキシアルキル）付加体を０．５ｗｔ％以上２０．０ｗｔ％以下含むことが好ましい。
【００１１】
本発明のフラックスは、イソシアヌル酸（２−カルボキシアルキル）付加体が、イソシアヌル酸モノ（２−カルボキシアルキル）付加体、イソシアヌル酸ビス（２−カルボキシアルキル）付加体、イソシアヌル酸トリス（２−カルボキシアルキル）付加体のいずれか、あるいは２種以上の組み合わせであることが好ましく、イソシアヌル酸トリス（２−カルボキシアルキル）付加体は、トリス（２−カルボキシエチル）イソシアヌレート、トリス（２−カルボキシメチル）イソシアヌレート、トリス（２−カルボキシプロピル）イソシアヌレートであり、イソシアヌル酸ビス（２−カルボキシアルキル）付加体は、ビス（２−カルボキシエチル）イソシアヌレートであることが好ましい。
【００１２】
また、本発明は、イソシアヌル酸（２−カルボキシアルキル）付加体を０．５ｗｔ％以上２０．０ｗｔ％以下、ロジンを５．０ｗｔ％以上５０．０ｗｔ％以下含み、さらに溶剤を含むフラックスである。
【００１３】
本発明のフラックスでは、さらにロジン以外の他の樹脂を０ｗｔ％以上３０．０ｗｔ％以下含むことが好ましく、ロジン以外の他の樹脂はアクリル樹脂であり、アクリル樹脂の含有量が０ｗｔ％超である場合、アクリル樹脂とロジンの比率は０．１以上〜９．０以下であることが好ましい。さらにイソシアヌル酸（２−カルボキシアルキル）付加体以外の他の有機酸を０ｗｔ％以上１０．０ｗｔ％以下、アミンを０ｗｔ％以上５．０ｗｔ％以下、有機ハロゲン化合物の含有量を０ｗｔ％以上５．０ｗｔ％以下、アミンハロゲン化水素酸塩を０ｗｔ％以上５．０ｗｔ％以下、チキソ剤を０ｗｔ％以上１０．０ｗｔ％以下含むことが好ましい。
【００１４】
また、本発明は、上述したフラックスと、金属粉を含むソルダペーストである。
【発明の効果】
【００１５】
本発明のフラックスでは、イソシアヌル酸（２−カルボキシアルキル）付加体を含むことで、このフラックス、及び、このフラックスを用いたソルダペーストでは、リフロー炉ではんだ付けを行うことで、はんだの不濡れの要因となる酸化物が除去され、はんだの濡れ広がり性が向上する。
【発明を実施するための形態】
【００１６】
＜本実施の形態のフラックスの一例＞
本実施の形態のフラックスは、イソシアヌル酸（２−カルボキシアルキル）付加体を含む。本実施の形態のフラックスは、さらに樹脂と溶剤を含む。
【００１７】
イソシアヌル酸（２−カルボキシアルキル）付加体は、六員（６員）複素環式化合物で、直鎖構造のカルボン酸、分岐構造のカルボン酸等の有機酸と比較して、はんだ付けで想定される温度域での耐熱性を有し、はんだ付け時に活性剤として機能する。
【００１８】
本実施の形態のフラックスとはんだボール、金属等の核をはんだで被覆した核ボール等を用いてリフロー炉ではんだ付けを行うことで、はんだの不濡れの要因となる酸化物が除去され、はんだの濡れ広がり性が向上する。また、本実施の形態のフラックスと金属粉を含むソルダペーストを用いてリフロー炉ではんだ付けを行うことでも、はんだの濡れ広がり性が向上する。
【００１９】
イソシアヌル酸（２−カルボキシアルキル）付加体としては、イソシアヌル酸モノ（２−カルボキシアルキル）付加体、イソシアヌル酸ビス（２−カルボキシアルキル）付加体、イソシアヌル酸トリス（２−カルボキシアルキル）付加体等が挙げられる。
【００２０】
イソシアヌル酸トリス（２−カルボキシアルキル）付加体としては、トリス（２−カルボキシエチル）イソシアヌレート、トリス（２−カルボキシメチル）イソシアヌレート、トリス（２−カルボキシプロピル）イソシアヌレート等が挙げられる。また、イソシアヌル酸ビス（２−カルボキシアルキル）付加体としては、ビス（２−カルボキシエチル）イソシアヌレート等が挙げられる。
【００２１】
トリス（２−カルボキシエチル）イソシアヌレートの構造式を以下の（１）式に示す。トリス（２−カルボキシエチル）イソシアヌレートのＣＡＳ登録番号は、２９０４−４１−８である。トリス（２−カルボキシメチル）イソシアヌレートの構造式を以下の（２）式に示す。トリス（２−カルボキシメチル）イソシアヌレートのＣＡＳ登録番号は、１９６８−５２−１である。トリス（２−カルボキシプロピル）イソシアヌレートの構造式を以下の（３）式に示す。トリス（２−カルボキシプロピル）イソシアヌレートのＣＡＳ登録番号は、３１９０１７−３１−７である。ビス（２−カルボキシエチル）イソシアヌレートの構造式を以下の（４）式に示す。ビス（２−カルボキシエチル）イソシアヌレートのＣＡＳ登録番号は、２９０４−４０−７である。
【００２２】
【化１】
2020110833.tif 000002
【００２３】
イソシアヌル酸（２−カルボキシアルキル）付加体は、はんだの濡れ広がり性を向上させる本実施の形態のフラックスにおいて必須の成分であり、これらの１種または２種以上を使用することができる。イソシアヌル酸（２−カルボキシアルキル）付加体の含有量は、０．５ｗｔ％以上２０．０ｗｔ％以下であることが好ましい。
【００２４】
本実施の形態のフラックスは、樹脂としてロジンを含む。ロジンとしては、例えば、ガムロジン、ウッドロジン及びトール油ロジン等の原料ロジン、並びに該原料ロジンから得られる誘導体が挙げられる。該誘導体としては、例えば、精製ロジン、水添ロジン、不均化ロジン、重合ロジン、酸変性ロジン、フェノール変性ロジン及びα，β不飽和カルボン酸変性物（アクリル化ロジン、マレイン化ロジン、フマル化ロジン等）、並びに該重合ロジンの精製物、水素化物及び不均化物、並びに該α，β不飽和カルボン酸変性物の精製物、水素化物及び不均化物等が挙げられる。
【００２５】
ロジンは、はんだの濡れ広がり性を向上させる本実施の形態のフラックスにおいて必須の成分であり、これらの１種または２種以上を使用することができる。ロジンの含有量は、５．０ｗｔ％以上５０．０ｗｔ％以下であることが好ましい。
【００２６】
また、ロジン以外の他の樹脂としてアクリル樹脂を含む。アクリル樹脂は、アクリル酸、アクリル酸とアルコールの反応物であるアクリル酸エステル、メタクリル酸、メタクリル酸とアルコールの反応物であるメタクリル酸エステルをモノマーとして、アクリル酸の重合体、アクリル酸エステルの重合体、アクリル酸とアクリル酸エステルの重合体等が挙げられる。また、メタクリル酸の重合体、メタクリル酸エステルの重合体、メタクリル酸とメタクリル酸エステルの重合体等が挙げられる。さらに、アクリル酸とメタクリル酸の重合体、アクリル酸とメタクリル酸エステルの重合体、メタクリル酸とアクリル酸エステルの重合体、アクリル酸エステルとメタクリル酸エステルの重合体、アクリル酸とメタクリル酸とアクリル酸エステルの重合体、アクリル酸とメタクリル酸とメタクリル酸エステルの重合体、アクリル酸とメタクリル酸とアクリル酸エステルとメタクリル酸エステルの重合体、アクリル酸とアクリル酸エステルとメタクリル酸エステルの重合体、メタクリル酸とアクリル酸エステルとメタクリル酸エステルの重合体等が挙げられる。アクリル酸エステルとして、例えばアクリル酸ブチルエステルが挙げられ、アクリル酸ブチルエステルをモノマーとしたアクリル樹脂としては、アクリル酸ブチルエステルの重合体、アクリル酸ブチルエステル以外のアクリル酸エステルとアクリル酸ブチルエステルの重合体、アクリル酸とアクリル酸ブチルエステルの重合体、アクリル酸とアクリル酸ブチルエステル以外のアクリル酸エステルとアクリル酸ブチルエステルの重合体等が挙げられる。また、メタクリル酸エステルとして、例えばメタクリル酸ブチルエステルが挙げられ、メタクリル酸ブチルエステルをモノマーとしたアクリル樹脂としては、メタクリル酸ブチルエステルの重合体、メタクリル酸ブチルエステル以外のメタクリル酸エステルとメタクリル酸ブチルエステルの重合体、メタクリル酸とメタクリル酸ブチルエステルの重合体、メタクリル酸とメタクリル酸ブチルエステル以外のメタクリル酸エステルとメタクリル酸ブチルエステルの重合体等が挙げられる。さらに、アクリル酸とメタクリル酸ブチルエステルの重合体、アクリル酸とメタクリル酸ブチルエステル以外のメタクリル酸エステルとメタクリル酸ブチルエステルの重合体、メタクリル酸とアクリル酸ブチルエステルの重合体、メタクリル酸とアクリル酸ブチルエステル以外のアクリル酸エステルとアクリル酸ブチルエステルの重合体、アクリル酸ブチルエステルとメタクリル酸ブチルエステルの重合体、アクリル酸ブチルエステル以外のアクリル酸エステルとメタクリル酸ブチルエステルの重合体、アクリル酸ブチルエステルとメタクリル酸ブチルエステル以外のメタクリル酸エステルの重合体等が挙げられる。重合反応は、ランダム共重合でもブロック共重合等でも良い。また、上述したアルコールは、炭素鎖が直鎖状である炭素数が１〜２４のアルコール、あるいは、炭素鎖が分岐状である炭素数が３〜２４のアルコールであり、上述したアルコールとしては、炭素数１のメタノール、炭素数２のエタノール、炭素数３の１−プロパノール、炭素数３の２−プロパノール、炭素数３のエチレングリコールモノメチルエーテル、炭素数４の１−ブタノール、炭素数４の２−ブタノール、炭素数４のイソブタノール、炭素数６の１−ヘキサノール、炭素数６のジエチレングリコールモノエチルエーテル、炭素数７のベンジルアルコール、炭素数８の１−オクタノール、炭素数８の２−エチルヘキサノール、炭素数８のフェニルグリコール、炭素数９の１−デカノール、炭素数１２のラウリルアルコール、炭素数１６のセチルアルコール、炭素数１８のステアリルアルコール、炭素数１８のオレイルアルコール、炭素数２２のベヘニルアルコール等が挙げられる。
【００２７】
アクリル樹脂の分子量は、ゲル浸透クロマトグラフィ（ＧＰＣ）により測定されたポリスチレン換算の重量平均分子量（Ｍｗ）が５０００〜３００００であることが好ましく、重量平均分子量（Ｍｗ）が６０００〜１５０００であることがより好ましい。
【００２８】
このようなアクリル樹脂としては、ポリ２−エチルヘキシルアクリレート（Ｍｗ＝８３００）、ポリラウリルメタクリレート（Ｍｗ＝１００８０）等が挙げられる。
【００２９】
本実施の形態のフラックスは、ロジンとアクリル樹脂以外のさらに他の樹脂を含んでも良い。ロジンとアクリル樹脂以外の他の樹脂としては、テルペン樹脂、変性テルペン樹脂、テルペンフェノール樹脂、変性テルペンフェノール樹脂、スチレン樹脂、変性スチレン樹脂、キシレン樹脂、変性キシレン樹脂、ポリエチレン、ポリプロピレン、ポリ酢酸ビニル、ポリビニルアルコール、ポリエチレンポリプロピレン共重合物、及びポリエチレンポリ酢酸ビニル共重合物から選択される少なくとも一種以上の樹脂をさらに含むことができる。変性テルペン樹脂としては、芳香族変性テルペン樹脂、水添テルペン樹脂、水添芳香族変性テルペン樹脂等を使用することができる。変性テルペンフェノール樹脂としては、水添テルペンフェノール樹脂等を使用することができる。変性スチレン樹脂としては、スチレンアクリル樹脂、スチレンマレイン酸樹脂等を使用することができる。変性キシレン樹脂としては、フェノール変性キシレン樹脂、アルキルフェノール変性キシレン樹脂、フェノール変性レゾール型キシレン樹脂、ポリオール変性キシレン樹脂、ポリオキシエチレン付加キシレン樹脂等を使用することができる。また、上述したアクリル樹脂と他の樹脂の共重合体でも良く、例えば、上述した各アクリル樹脂とポリエチレンの重合体でも良い。このようなアクリル・ポリエチレン共重合樹脂としてポリ２−エチルヘキシルアクリレート−ポリエチレン（Ｍｗ＝１２３００）等が挙げられる。
【００３０】
他の樹脂は、はんだの濡れ広がり性を向上させる本実施の形態のフラックスにおいて任意添加の成分であり、これらの１種または２種以上を使用することができる。他の樹脂の含有量は、０ｗｔ％以上３０．０ｗｔ％以下であることが好ましく、５．０ｗｔ％以上３０．０ｗｔ％以下であることがより好ましい。また、他の樹脂を含む場合、他の樹脂とロジンの比率（他の樹脂／ロジン）は、０．１以上〜９．０以下であることが好ましい。他の樹脂としてアクリル樹脂を含む場合、アクリル樹脂の含有量は、０ｗｔ％以上３０．０ｗｔ％以下であることが好ましく、５．０ｗｔ％以上３０．０ｗｔ％以下であることがより好ましい。また、他の樹脂としてアクリル樹脂を含む場合、アクリル樹脂とロジンの比率（アクリル樹脂／ロジン）は、０．１以上〜９．０以下であることが好ましく、アクリル樹脂とロジンの比率（アクリル樹脂／ロジン）は、０．１以上〜６．０以下であることがより好ましい。
【００３１】
本実施の形態のフラックスは、イソシアヌル酸（２−カルボキシアルキル）付加体に加えて、その他の活性剤を含んでも良い。その他の活性剤を含むことで酸化物の除去効果を高めることができる。
【００３２】
その他の活性剤としては、イソシアヌル酸（２−カルボキシアルキル）付加体以外の他の有機酸、アミン、有機ハロゲン化合物、アミンハロゲン化水素酸塩等が挙げられる。
【００３３】
イソシアヌル酸（２−カルボキシアルキル）付加体以外の他の有機酸としては、グルタル酸、アジピン酸、アゼライン酸、エイコサン二酸、クエン酸、グリコール酸、コハク酸、サリチル酸、ジグリコール酸、ジピコリン酸、ジブチルアニリンジグリコール酸、スベリン酸、セバシン酸、チオグリコール酸、フタル酸、イソフタル酸、テレフタル酸、ドデカン二酸、パラヒドロキシフェニル酢酸、ピコリン酸、フェニルコハク酸、フマル酸、マレイン酸、マロン酸、ラウリン酸、安息香酸、酒石酸、イソシアヌル酸トリス（２−カルボキシエチル）、グリシン、１，３−シクロヘキサンジカルボン酸、２，２−ビス（ヒドロキシメチル）プロピオン酸、２，２−ビス（ヒドロキシメチル）ブタン酸、４−ｔｅｒｔ−ブチル安息香酸、２，３−ジヒドロキシ安息香酸、２，４−ジエチルグルタル酸、２−キノリンカルボン酸、３−ヒドロキシ安息香酸、リンゴ酸、ｐ−アニス酸、パルミチン酸、ステアリン酸、１２−ヒドロキシステアリン酸、オレイン酸、リノール酸、リノレン酸等が挙げられる。
【００３４】
また、イソシアヌル酸（２−カルボキシアルキル）付加体以外の他の有機酸としては、モノカルボン酸の反応物で２量体であるダイマー酸、ダイマー酸に水素を添加した水添ダイマー酸、モノカルボン酸の反応物で３量体であるトリマー酸、トリマー酸に水素を添加した水添トリマー酸が挙げられる。
【００３５】
ダイマー酸は、モノマーとして例えばオレイン酸とリノール酸が用いられた２量体である。モノマーとしてオレイン酸とリノール酸が用いられたダイマー酸は、炭素数が３６である。トリマー酸は、モノマーとして例えばオレイン酸とリノール酸が用いられた３量体である。モノマーとしてオレイン酸とリノール酸が用いられたトリマー酸は、炭素数が５４である。
【００３６】
ダイマー酸、トリマー酸、水添ダイマー酸及び水添トリマー酸としては、上述したオレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸等が挙げられる。
【００３７】
また、ダイマー酸、トリマー酸、水添ダイマー酸及び水添トリマー酸としては、オレイン酸とリノール酸の反応物以外のダイマー酸、オレイン酸とリノール酸の反応物以外のトリマー酸、オレイン酸とリノール酸の反応物以外のダイマー酸に水素を添加した水添ダイマー酸またはオレイン酸とリノール酸の反応物以外のトリマー酸に水素を添加した水添トリマー酸として、アクリル酸の反応物であるダイマー酸、アクリル酸の反応物であるトリマー酸、メタクリル酸の反応物であるダイマー酸、メタクリル酸の反応物であるトリマー酸、アクリル酸とメタクリル酸の反応物であるダイマー酸、アクリル酸とメタクリル酸の反応物であるトリマー酸、オレイン酸の反応物であるダイマー酸、オレイン酸の反応物であるトリマー酸、リノール酸の反応物であるダイマー酸、リノール酸の反応物であるトリマー酸、リノレン酸の反応物であるダイマー酸、リノレン酸の反応物であるトリマー酸、アクリル酸とオレイン酸の反応物であるダイマー酸、アクリル酸とオレイン酸の反応物であるトリマー酸、アクリル酸とリノール酸の反応物であるダイマー酸、アクリル酸とリノール酸の反応物であるトリマー酸、アクリル酸とリノレン酸の反応物であるダイマー酸、アクリル酸とリノレン酸の反応物であるトリマー酸、メタクリル酸とオレイン酸の反応物であるダイマー酸、メタクリル酸とオレイン酸の反応物であるトリマー酸、メタクリル酸とリノール酸の反応物であるダイマー酸、メタクリル酸とリノール酸の反応物であるトリマー酸、メタクリル酸とリノレン酸の反応物であるダイマー酸、メタクリル酸とリノレン酸の反応物であるトリマー酸、オレイン酸とリノレン酸の反応物であるダイマー酸、オレイン酸とリノレン酸の反応物であるトリマー酸、リノール酸とリノレン酸の反応物であるダイマー酸、リノール酸とリノレン酸の反応物であるトリマー酸、上述したオレイン酸とリノール酸の反応物以外のダイマー酸に水素を添加した水添ダイマー酸、オレイン酸とリノール酸の反応物以外のトリマー酸に水素を添加した水添トリマー酸等が挙げられる。
【００３８】
イソシアヌル酸（２−カルボキシアルキル）付加体以外の他の有機酸は、はんだの濡れ広がり性を向上させる本実施の形態のフラックスにおいて任意添加の成分であり、これらの１種または２種以上を使用することができる。イソシアヌル酸（２−カルボキシアルキル）付加体以外の他の有機酸の含有量は０ｗｔ％以上１０．０ｗｔ％以下であることが好ましい。
【００３９】
アミンとしては、モノエタノールアミン、ジフェニルグアニジン、エチルアミン、トリエチルアミン、エチレンジアミン、トリエチレンテトラミン、２−メチルイミダゾール、２−ウンデシルイミダゾール、２−ヘプタデシルイミダゾール、１，２−ジメチルイミダゾール、２−エチル−４−メチルイミダゾール、２−フェニルイミダゾール、２−フェニル−４−メチルイミダゾール、１−ベンジル−２−メチルイミダゾール、１−ベンジル−２−フェニルイミダゾール、１−シアノエチル−２−メチルイミダゾール、１−シアノエチル−２−ウンデシルイミダゾール、１−シアノエチル−２−エチル−４−メチルイミダゾール、１−シアノエチル−２−フェニルイミダゾール、１−シアノエチル−２−ウンデシルイミダゾリウムトリメリテイト、１−シアノエチル−２−フェニルイミダゾリウムトリメリテイト、２，４−ジアミノ−６−［２′−メチルイミダゾリル−（１′）］−エチル−ｓ−トリアジン、２，４−ジアミノ−６−［２′−ウンデシルイミダゾリル−（１′）］−エチル−ｓ−トリアジン、２，４−ジアミノ−６−［２′−エチル−４′−メチルイミダゾリル−（１′）］−エチル−ｓ−トリアジン、２，４−ジアミノ−６−［２′−メチルイミダゾリル−（１′）］−エチル−ｓ−トリアジンイソシアヌル酸付加物、２−フェニルイミダゾールイソシアヌル酸付加物、２−フェニル−４，５−ジヒドロキシメチルイミダゾール、２−フェニル−４−メチル−５−ヒドロキシメチルイミダゾール、２，３−ジヒドロ−１Ｈ−ピロロ［１，２−ａ］ベンズイミダゾール、１−ドデシル−２−メチル−３−ベンジルイミダゾリウムクロライド、２−メチルイミダゾリン、２−フェニルイミダゾリン、２，４−ジアミノ−６−ビニル−ｓ−トリアジン、２，４−ジアミノ−６−ビニル−ｓ−トリアジンイソシアヌル酸付加物、２，４−ジアミノ−６−メタクリロイルオキシエチル−ｓ−トリアジン、エポキシ−イミダゾールアダクト、２−メチルベンゾイミダゾール、２−オクチルベンゾイミダゾール、２−ペンチルベンゾイミダゾール、２−（１−エチルペンチル）ベンゾイミダゾール、２−ノニルベンゾイミダゾール、２−（４−チアゾリル）ベンゾイミダゾール、ベンゾイミダゾール、２−（２′−ヒドロキシ−５′−メチルフェニル）ベンゾトリアゾール、２−（２′−ヒドロキシ−３′−ｔｅｒｔ−ブチル−５′−メチルフェニル）−５−クロロベンゾトリアゾール、２−（２′−ヒドロキシ−３′，５′−ジ−ｔｅｒｔ−アミルフェニル）ベンゾトリアゾール、２−（２′−ヒドロキシ−５′−ｔｅｒｔ−オクチルフェニル）ベンゾトリアゾール、２，２′−メチレンビス［６−（２Ｈ−ベンゾトリアゾール−２−イル）−４−ｔｅｒｔ−オクチルフェノール］、６−（２−ベンゾトリアゾリル）−４−ｔｅｒｔ−オクチル−６′−ｔｅｒｔ−ブチル−４′−メチル−２，２′−メチレンビスフェノール、１，２，３−ベンゾトリアゾール、１−［Ｎ，Ｎ−ビス（２−エチルヘキシル）アミノメチル］ベンゾトリアゾール、カルボキシベンゾトリアゾール、１−［Ｎ，Ｎ−ビス（２−エチルヘキシル）アミノメチル］メチルベンゾトリアゾール、２，２′−［［（メチル−１Ｈ−ベンゾトリアゾール−１−イル）メチル］イミノ］ビスエタノール、１−（１′，２′−ジカルボキシエチル）ベンゾトリアゾール、１−（２，３−ジカルボキシプロピル）ベンゾトリアゾール、１−［（２−エチルヘキシルアミノ）メチル］ベンゾトリアゾール、２，６−ビス［（１Ｈ−ベンゾトリアゾール−１−イル）メチル］−４−メチルフェノール、５−メチルベンゾトリアゾール、５−フェニルテトラゾール、両末端基にアミノ基を有するポリエチレングリコール−ポリプロピレングリコールコポリマー（末端ジアミンＰＥＧ−ＰＰＧ）コポリマー、ジメチルアミン、１−アミノプロパン、イソプロピルアミン、トリメチルアミン、アリルアミン、ｎ−ブチルアミン、ジエチルアミン、ｓｅｃ−ブチルアミン、ｔｅｒｔ−ブチルアミン、Ｎ，Ｎ−ジメチルエチルアミン、イソブチルアミン、シクロヘキシルアミン、アニリン、Ｎ−メチルアニリン、ジフェニルアミン、Ｎ−イソプロピルアニリン、ｐ−イソプロピルアニリン、２−アミノエタノール、２−(エチルアミノ)エタノール、ジエタノールアミン、ジイソプロパノールアミン、トリエタノールアミン、Ｎ−ブチルジエタノールアミン、トリイソプロパノールアミン、Ｎ，Ｎ−ビス（２−ヒドロキシエチル）−Ｎ−シクロヘキシルアミン、Ｎ，Ｎ，Ｎ'，Ｎ'−テトラキス（２−ヒドロキシプロピル）エチレンジアミン、Ｎ，Ｎ，Ｎ'，Ｎ''，Ｎ''−ペンタキス（２−ヒドロキシプロピル）ジエチレントリアミン、アラニン、アルギニン、アスパラギン、アスパラギン酸、システイン塩酸塩、グルタミン、グルタミン酸、グリシン、ヒスチジン、イソロイシン、ロイシン、リジン一塩酸塩、メチオニン、フェニルアラニン、プロリン、セリン、トレオニン、トリプトファン、チロシン、バリン、β-アラニン、γ-アミノ酪酸、δ-アミノ吉草酸、ε-アミノヘキサン酸、ε-カプロラクタム、７−アミノヘプタン酸、ジシアンジアミド、１，３−ジフェニルグアニジン、１，３−ジ−ｏ−トリルグアニジン、テトラキス（２−ヒドロキシジプロピル）エチレンジアミン等が挙げられる。
【００４０】
アミンは、はんだの濡れ広がり性を向上させる本実施の形態のフラックスにおいて任意添加の成分であり、これらの１種または２種以上を使用することができる。アミンの含有量は、０ｗｔ％以上１０．０ｗｔ％以下であることが好ましい。
【００４１】
有機ハロゲン化合物としては、有機ブロモ化合物であるｔｒａｎｓ−２，３−ジブロモ−１，４−ブテンジオール、トリアリルイソシアヌレート６臭化物、１−ブロモ−２−ブタノール、１−ブロモ−２−プロパノール、３−ブロモ−１−プロパノール、３−ブロモ−１，２−プロパンジオール、１，４−ジブロモ−２−ブタノール、１，３−ジブロモ−２−プロパノール、２，３−ジブロモ−１−プロパノール、２，３−ジブロモ−１，４−ブタンジオール、２，３−ジブロモ−２−ブテン−１，４−ジオール、ｔｒａｎｓ−２，３−ジブロモ−２−ブテン−１，４−ジオール、ｃｉｓ−２，３−ジブロモ−２−ブテン−１，４−ジオール、２，３−ジクロロ−１−プロパノール、１，１，２，２−テトラブロモエタン、２，２，２−トリブロモエタノール、ペンタブロモエタン、四臭化炭素、２，２−ビス（ブロモメチル）−１，３−プロパンジオール、ｍｅｓｏ−２，３−ジブロモコハク酸、クロロアルカン、塩素化脂肪酸エステル、臭化ｎ−ヘキサデシルトリメチルアンモニウム、２，２−ビス［３，５−ジブロモ−４−（２，３−ジブロモプロポキシ）フェニル］プロパン、ビス［３，５−ジブロモ−４−（２，３−ジブロモプロポキシ）フェニル］スルホン、エチレンビスペンタブロモベンゼン、２−クロロメチルオキシラン、臭化ビスフェノールＡ型エポキシ樹脂、テトラブロモフタル酸、ブロモコハク酸等が挙げられる。また、有機クロロ化合物であるクロロアルカン、塩素化脂肪酸エステル、ヘット酸、ヘット酸無水物等が挙げられる。さらに有機フルオロ化合物であるフッ素系界面活性剤、パーフルオロアルキル基を有する界面活性剤、ポリテトラフルオロエチレン等が挙げられる。
【００４２】
有機ハロゲン化合物は、はんだの濡れ広がり性を向上させる本実施の形態のフラックスにおいて任意添加の成分であり、これらの１種または２種以上を使用することができる。有機ハロゲン化合物の含有量は、０ｗｔ％以上５．０ｗｔ％以下であることが好ましい。
【００４３】
アミンハロゲン化水素酸塩は、アミンとハロゲン化水素を反応させた化合物であり、アニリン塩化水素、アニリン臭化水素等が挙げられる。アミンハロゲン化水素酸塩のアミンとしては、上述したアミンを用いることができ、エチルアミン、エチレンジアミン、トリエチルアミン、メチルイミダゾール、２−エチル−４−メチルイミダゾール等が挙げられ、ハロゲン化水素としては、塩素、臭素、ヨウ素、フッ素の水素化物（塩化水素、臭化水素、ヨウ化水素、フッ化水素）が挙げられる。このようなアミンハロゲン化水素酸塩としては、ステアリルアミン塩酸塩、ジエチルアニリン塩酸塩、ジエタノールアミン塩酸塩、２−エチルヘキシルアミン臭化水素酸塩、ピリジン臭化水素酸塩、イソプロピルアミン臭化水素酸塩、シクロヘキシルアミン臭化水素酸塩、ジエチルアミン臭化水素酸塩、モノエチルアミン臭化水素酸塩、１，３−ジフェニルグアニジン臭化水素酸塩、ジメチルアミン臭化水素酸塩、ジメチルアミン塩酸塩、ロジンアミン臭化水素酸塩、２−エチルヘキシルアミン塩酸塩、イソプロピルアミン塩酸塩、シクロヘキシルアミン塩酸塩、２−ピペコリン臭化水素酸塩、１，３−ジフェニルグアニジン塩酸塩、ジメチルベンジルアミン塩酸塩、ヒドラジンヒドラート臭化水素酸塩、ジメチルシクロヘキシルアミン塩酸塩、トリノニルアミン臭化水素酸塩、ジエチルアニリン臭化水素酸塩、２−ジエチルアミノエタノール臭化水素酸塩、２−ジエチルアミノエタノール塩酸塩、塩化アンモニウム、ジアリルアミン塩酸塩、ジアリルアミン臭化水素酸塩、モノエチルアミン塩酸塩、モノエチルアミン臭化水素酸塩、ジエチルアミン塩酸塩、トリエチルアミン臭化水素酸塩、トリエチルアミン塩酸塩、ヒドラジン一塩酸塩、ヒドラジン二塩酸塩、ヒドラジン一臭化水素酸塩、ヒドラジン二臭化水素酸塩、ピリジン塩酸塩、アニリン臭化水素酸塩、ブチルアミン塩酸塩、へキシルアミン塩酸塩、ｎ−オクチルアミン塩酸塩、ドデシルアミン塩酸塩、ジメチルシクロヘキシルアミン臭化水素酸塩、エチレンジアミン二臭化水素酸塩、ロジンアミン臭化水素酸塩、２−フェニルイミダゾール臭化水素酸塩、４−ベンジルピリジン臭化水素酸塩、Ｌ−グルタミン酸塩酸塩、Ｎ−メチルモルホリン塩酸塩、ベタイン塩酸塩、２−ピペコリンヨウ化水素酸塩、シクロヘキシルアミンヨウ化水素酸塩、１，３−ジフェニルグアニジンフッ化水素酸塩、ジエチルアミンフッ化水素酸塩、２−エチルヘキシルアミンフッ化水素酸塩、シクロヘキシルアミンフッ化水素酸塩、エチルアミンフッ化水素酸塩、ロジンアミンフッ化水素酸塩、シクロヘキシルアミンテトラフルオロホウ酸塩、ジシクロヘキシルアミンテトラフルオロホウ酸塩等が挙げられる。また、アミンハロゲン化水素酸塩に代えて、あるいはアミンハロゲン化水素酸塩と合わせてホウフッ化物を含んでも良く、ホウフッ化物としてホウフッ化水素酸等が挙げられる。
【００４４】
アミンハロゲン化水素酸塩は、はんだの濡れ広がり性を向上させる本実施の形態のフラックスにおいて任意添加の成分であり、これらの１種または２種以上を使用することができる。アミンハロゲン化水素酸塩の含有量は、０ｗｔ％以上５．０ｗｔ％以下であることが好ましい。
【００４５】
本実施の形態のフラックスは、さらに、チキソ剤、金属不活性化剤を含んでも良い。
【００４６】
チキソ剤としては、エステル系チキソ剤、アマイド系チキソ剤が挙げられる。エステル系チキソ剤としては例えばヒマシ硬化油等が挙げられる。アマイド系チキソ剤としてはラウリン酸アマイド、パルミチン酸アマイド、ステアリン酸アマイド、ベヘン酸アマイド、ヒドロキシステアリン酸アマイド、飽和脂肪酸アマイド、オレイン酸アマイド、エルカ酸アマイド、不飽和脂肪酸アマイド、ｐ−トルエンメタンアマイド、芳香族アマイド、メチレンビスステアリン酸アマイド、エチレンビスラウリン酸アマイド、エチレンビスヒドロキシステアリン酸アマイド、飽和脂肪酸ビスアマイド、メチレンビスオレイン酸アマイド、不飽和脂肪酸ビスアマイド、ｍ−キシリレンビスステアリン酸アマイド、芳香族ビスアマイド、飽和脂肪酸ポリアマイド、不飽和脂肪酸ポリアマイド、芳香族ポリアマイド、置換アマイド、メチロールステアリン酸アマイド、メチロールアマイド、脂肪酸エステルアマイド等が挙げられる。
【００４７】
チキソ剤は、はんだの濡れ広がり性を向上させる本実施の形態のフラックスにおいて任意添加の成分であり、これらの１種または２種以上を使用することができる。チキソ剤の含有量は、０ｗｔ％以上１０．０ｗｔ％以下であることが好ましい。
【００４８】
金属不活性化剤としては、ヒンダードフェノール系金属不活性化剤、窒素化合物系金属不活性化剤等が挙げられる。ヒンダードフェノール系金属不活性化剤としては、ビス（３−（３−ｔｅｒｔ−ブチル−４−ヒドロキシ−５−メチルフェニル）プロピオン酸）、Ｎ，Ｎ´−ヘキサメチレンビス（３−（３，５−ジ−ｔｅｒｔ−ブチル−４−ヒドロキシフェニル）プロパンアミド）等が挙げられる。窒素化合物系金属不活性化剤としては、Ｎ−（２Ｈ−１，２，４−トリアゾール−５−イル）サリチルアミド等が挙げられる。
【００４９】
金属不活性化剤は、はんだの濡れ広がり性を向上させる本実施の形態のフラックスにおいて任意添加の成分であり、これらの１種または２種以上を使用することができる。
【００５０】
溶剤としては、水、エステル系溶剤、アルコール系溶剤、グリコールエーテル系溶剤、テルピネオール類等が挙げられる。エステル系溶剤としては、脂肪酸アルキル、ステアリン酸ブチル、ステアリン酸２−エチルヘキシル、ステアリン酸イソトリデシル、オレイン酸メチル、オレイン酸イソブチル、ヤシ脂肪酸メチル、ラウリン酸メチル、ミリスチン酸イソプロピル、パルミチン酸イソプロピル、パルミチン酸２−エチルヘキシル、ミリスチン酸オクチルドデシル等が挙げられる。アルコール系溶剤としてはエタノール、工業用エタノール（エタノールにメタノール及び／またはイソプロピルアルコールを添加した混合溶剤）、イソプロピルアルコール、１，２−ブタンジオール、イソボルニルシクロヘキサノール、２，４−ジエチル−１，５−ペンタンジオール、２，２−ジメチル−１，３−プロパンジオール、２，５−ジメチル−２，５−ヘキサンジオール、２，５−ジメチル−３−ヘキシン−２，５−ジオール、２，３−ジメチル−２，３−ブタンジオール、１，１，１−トリス（ヒドロキシメチル）エタン、２−エチル−２−ヒドロキシメチル−１，３−プロパンジオール、２，２′−オキシビス（メチレン）ビス（２−エチル−１，３−プロパンジオール）、２，２−ビス（ヒドロキシメチル）−１，３−プロパンジオール、１，２，６−トリヒドロキシヘキサン、ビス［２，２，２−トリス（ヒドロキシメチル）エチル］エーテル、１−エチニル−１−シクロヘキサノール、１，４−シクロヘキサンジオール、１，４−シクロヘキサンジメタノール、エリトリトール、トレイトール、グアヤコールグリセロールエーテル、３，６−ジメチル−４−オクチン−３，６−ジオール、２，４，７，９−テトラメチル−５−デシン−４，７−ジオール等が挙げられる。グリコールエーテル系溶剤としては、ヘキシルジグリコール、ジエチレングリコールモノ−２−エチルヘキシルエーテル、エチレングリコールモノフェニルエーテル、２−メチルペンタン−２，４−ジオール、ジエチレングリコールモノヘキシルエーテル、ジエチレングリコールジブチルエーテル、トリエチレングリコールモノブチルエーテル、１，３−ブチレングリコール、フェニルグリコール、へキシレングリコール等が挙げられる。
【００５１】
溶剤は、はんだの濡れ広がり性を向上させる本実施の形態のフラックスにおいて必須の成分であり、これらの１種または２種以上を使用することができる。溶剤の含有量は、イソシアヌル酸（２−カルボキシアルキル）付加体と、樹脂と、溶剤のみを必須の成分として上記所定の含有量で含む場合、必須成分の含有量の残部である。
【００５２】
さらに、有機酸、アミン、有機ハロゲン化合物、アミンハロゲン化水素酸塩、チキソ剤のいずれかまたはその組み合わせを上記所定の含有量で含む場合、必須成分とこれら任意添加の成分の含有量の残部である。
【００５３】
なお、ノニオン系界面活性剤を含有しても良い。ノニオン系界面活性剤は水溶性の樹脂として機能し、上述した樹脂に代えてノニオン系界面活性剤を含有することで、水洗浄性に優れたフラックスとなる。ノニオン系界面活性剤としては、ポリアルキレングリコール、アルコールポリアルキレングリコール付加体、カルボン酸ポリアルキレングリコール付加体が挙げられる。
【００５４】
ポリアルキレングリコールとしては、ポリエチレングリコール（ＰＥＧ）、ポリエチレングリコール−ポリプロピレングリコール共重合体（ＰＥＧ−ＰＰＧコポリマー）等が挙げられる。
【００５５】
アルコールポリアルキレングリコール付加体としては、アルコールポリアルキレングリコールにエチレンオキサイドが付加重合されたアルコールポリアルキレングリコールＥＯ付加体、アルコールポリアルキレングリコールにエチレンオキサイド及びプロピレンオキサイドが付加重合されたアルコールポリアルキレングリコールＥＯ／ＰＯ付加体等が挙げられる。このようなアルコールポリアルキレングリコール付加体としては、炭素数１６のセチルアルコールＥＯ付加体、セチルアルコールＥＯ／ＰＯ付加体、炭素数１８のステアリルアルコールＥＯ付加体、ステアリルアルコールＥＯ／ＰＯ付加体、炭素数２２のベヘニルアルコールＥＯ付加体、ベヘニルアルコールＥＯ／ＰＯ付加体が挙げられ、また、炭素数６のレゾルシノールＥＯ付加体、レゾルシノールＥＯ／ＰＯ付加体が挙げられる。
【００５６】
カルボン酸ポリアルキレングリコール付加体としては、カルボン酸ポリアルキレングリコールＥＯ付加体、カルボン酸ポリアルキレングリコールＥＯ／ＰＯ付加体等が挙げられる。このようなカルボン酸ポリアルキレングリコール付加体としては、炭素数１６のパルミチン酸ＥＯ付加体、パルミチン酸ＥＯ／ＰＯ付加体、炭素数１８のステアリン酸ＥＯ付加体、ステアリン酸ＥＯ／ＰＯ付加体、炭素数２２のベヘン酸ＥＯ付加体、ベヘン酸ＥＯ／ＰＯ付加体等が挙げられる。
【００５７】
水溶性フラックスを実現するためには、上述した樹脂に代えて上述したノニオン系界面活性剤を、５．０ｗｔ％以上２０．０ｗｔ％以下含有することが好ましく、１０．０ｗｔ％以上２０．０ｗｔ％以下含有することがより好ましい。また、ロジンを５．０ｗｔ％以下含有しても良い。
【００５８】
また、水溶性フラックスを実現するためには、有機酸を１．０ｗｔ％以上１０．０ｗｔ％以下含有することが好ましく、有機酸として、ジグリコール酸、グルタル酸、２，２−ビス（ヒドロキシメチル）プロピオン酸の何れかあるいは２種以上を含有することが好ましい。また、アミンを３０．０ｗｔ％以上５５．０ｗｔ％以下含有することが好ましく、アミンとして末端ジアミンＰＥＧ−ＰＰＧコポリマー、テトラキス（２−ヒドロキシジプロピル）エチレンジアミン、２−メチルイミダゾールの何れかあるいは２種以上を含有することが好ましい。さらに、アミンハロゲン化水素酸塩を０ｗｔ％以上５．０ｗｔ％以下含有することが好ましく、アミンハロゲン化水素酸塩として、エチルアミン・ＨＢｒを含有することが好ましい。また、残部を溶剤として、１，３−ブチレングリコール、フェニルグリコール、へキシレングリコールの何れかまたは２種以上を含有することが好ましい。
【００５９】
＜本実施の形態のソルダペーストの一例＞
本実施の形態のソルダペーストは、上述したフラックスと、金属粉を含む。金属粉は、Ｐｂを含まないはんだであることが好ましく、Ｓｎ単体、または、Ｓｎ−Ａｇ系、Ｓｎ−Ｃｕ系、Ｓｎ−Ａｇ−Ｃｕ系、Ｓｎ−Ｂｉ系、Ｓｎ-Ｉｎ系等、あるいは、これらの合金にＳｂ、Ｂｉ、Ｉｎ、Ｃｕ、Ｚｎ、Ａｓ、Ａｇ、Ｃｄ、Ｆｅ、Ｎｉ、Ｃｏ、Ａｕ、Ｇｅ、Ｐ等を添加したはんだの粉体で構成される。
【００６０】
＜本実施の形態のフラックス及びソルダペーストの作用効果例＞
イソシアヌル酸（２−カルボキシアルキル）付加体を０．５ｗｔ％以上２０．０ｗｔ％以下、ロジンを５．０ｗｔ％以上５０．０ｗｔ％以下含み、さらに溶剤を含むフラックス、及び、このフラックスを用いたソルダペーストでは、リフロー炉ではんだ付けを行うことで、はんだの不濡れの要因となる酸化物が除去され、はんだの濡れ広がり性が向上する。
【実施例】
【００６１】
以下の表１〜表９に示す組成で実施例と比較例のフラックスを調合して、はんだ濡れ広がり性について検証した。なお、表１〜表９における組成率は、フラックスの全量を１００とした場合のｗｔ％である。
【００６２】
＜はんだの濡れ広がり性の評価＞
（１）検証方法
はんだ付け性の評価は、Ｃｕ板上に各実施例、各比較例のフラックス組成物を塗布し、Ｃｕ板上に塗布したフラックス組成物上にはんだボールを搭載し、リフローを行った後、はんだの濡れ広がり径を測定した。はんだの組成は、Ａｇが３．０ｗｔ％、Ｃｕが０．５ｗｔ％、残部がＳｎであるＳｎ−Ａｇ−Ｃｕ系のはんだ合金である。
【００６３】
まず、縦３０ｍｍ×横３０ｍｍ×厚さ０．３ｍｍのＢａｒｅ−Ｃｕ板上に、φ０．３ｍｍボール評価用の開口径φ０．２３ｍｍ、厚さ０．１ｍｍのマスクを用い、スキージでフラックス印刷した。Ｃｕ板のフラックス印刷部にφ０．３ｍｍのはんだボールを、マスク開口の１印刷部位につき１個載せ、Ｃｕ板１枚につき１０個以上のはんだボールを載せた状態で、大気リフローを高温観察装置で行った。リフローの条件は、エアー雰囲気下において１９０℃で１２０ｓｅｃの予備加熱を行った後、昇温速度を１℃／ｓｅｃとして１９０℃から２６０℃まで温度を上昇させて本加熱を行った。
【００６４】
はんだの濡れ広がり径の測定は、１バンプに対し上下方向、左右方向、右斜め方向及び左斜め方向の４方向を計測し、その算術平均値を１バンプのはんだの濡れ広がり径とした。そして、Ｎ＝１０の算術平均値をはんだの濡れ広がり径とした。
【００６５】
（２）判定基準
〇：はんだが０．４ｍｍ（＝４００ｕｍ）以上に濡れ広がった。
×：はんだが０．４ｍｍ未満に濡れ広がった。
【００６６】
【表１】
2020110833.tif 000003
【００６７】
【表２】
2020110833.tif 000004
【００６８】
【表３】
2020110833.tif 000005
【００６９】
【表４】
2020110833.tif 000006
【００７０】
【表５】
2020110833.tif 000007
【００７１】
【表６】
2020110833.tif 000008
【００７２】
【表７】
2020110833.tif 000009
【００７３】
【表８】
2020110833.tif 000010
【００７４】
【表９】
2020110833.tif 000011
【００７５】
表１、表２は、イソシアヌル酸トリス（２−カルボキシアルキル）付加体としてトリス（２−カルボキシエチル）イソシアヌレートを含む実施例、トリス（２−カルボキシエチル）イソシアヌレートを含まず、他のイソシアヌル酸トリス（２−カルボキシアルキル）付加体も含まない比較例である。表３、表４は、イソシアヌル酸トリス（２−カルボキシアルキル）付加体としてトリス（２−カルボキシメチル）イソシアヌレートを含む実施例、トリス（２−カルボキシメチル）イソシアヌレートを含まず、他のイソシアヌル酸トリス（２−カルボキシアルキル）付加体も含まない比較例である。表５、表６は、イソシアヌル酸トリス（２−カルボキシアルキル）付加体としてトリス（２−カルボキシプロピル）イソシアヌレートを含む実施例、トリス（２−カルボキシプロピル）イソシアヌレートを含まず、他のイソシアヌル酸トリス（２−カルボキシアルキル）付加体も含まない比較例である。表７、表８は、イソシアヌル酸トリス（２−カルボキシアルキル）付加体としてビス（２−カルボキシエチル）イソシアヌレートを含む実施例、ビス（２−カルボキシエチル）イソシアヌレートを含まず、他のイソシアヌル酸トリス（２−カルボキシアルキル）付加体も含まない比較例である。
【００７６】
実施例Ａ１〜実施例Ａ３、実施例Ｂ１〜実施例Ｂ３、実施例Ｃ１〜実施例Ｃ３、実施例Ｄ１〜実施例Ｄ３は、ロジンの種類を変えたもので、実施例Ａ１では、トリス（２−カルボキシエチル）イソシアヌレートを、本発明で規定された範囲内で５．０ｗｔ％含む。実施例Ｂ１では、トリス（２−カルボキシメチル）イソシアヌレートを、本発明で規定された範囲内で５．０ｗｔ％含む。実施例Ｃ１では、トリス（２−カルボキシプロピル）イソシアヌレートを、本発明で規定された範囲内で５．０ｗｔ％含む。実施例Ｄ１では、ビス（２−カルボキシエチル）イソシアヌレートを、本発明で規定された範囲内で５．０ｗｔ％含む。また、実施例Ａ１、実施例Ｂ１、実施例Ｃ１、実施例Ｄ１では、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【００７７】
実施例Ａ１、実施例Ｂ１、実施例Ｃ１、実施例Ｄ１では、はんだの濡れ広がり径が上述した判定基準を満たし、はんだの濡れ広がり性に対して十分な効果が得られた。
【００７８】
実施例Ａ２では、トリス（２−カルボキシエチル）イソシアヌレートを、本発明で規定された範囲内で５．０ｗｔ％含む。実施例Ｂ２では、トリス（２−カルボキシメチル）イソシアヌレートを、本発明で規定された範囲内で５．０ｗｔ％含む。実施例Ｃ２では、トリス（２−カルボキシプロピル）イソシアヌレートを、本発明で規定された範囲内で５．０ｗｔ％含む。実施例Ｄ２では、ビス（２−カルボキシエチル）イソシアヌレートを、本発明で規定された範囲内で５．０ｗｔ％含む。また、実施例Ａ２、実施例Ｂ２、実施例Ｃ２、実施例Ｄ２では、ロジンとして水添ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【００７９】
実施例Ａ２、実施例Ｂ２、実施例Ｃ２、実施例Ｄ２でも、はんだの濡れ広がり径が上述した判定基準を満たし、はんだの濡れ広がり性に対して十分な効果が得られた。
【００８０】
実施例Ａ３では、トリス（２−カルボキシエチル）イソシアヌレートを、本発明で規定された範囲内で５．０ｗｔ％含む。実施例Ｂ３では、トリス（２−カルボキシメチル）イソシアヌレートを、本発明で規定された範囲内で５．０ｗｔ％含む。実施例Ｃ３では、トリス（２−カルボキシプロピル）イソシアヌレートを、本発明で規定された範囲内で５．０ｗｔ％含む。実施例Ｄ３では、ビス（２−カルボキシエチル）イソシアヌレートを、本発明で規定された範囲内で５．０ｗｔ％含む。また、実施例Ａ３、実施例Ｂ３、実施例Ｃ３、実施例Ｄ３では、ロジンとして酸変性ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【００８１】
実施例Ａ３、実施例Ｂ３、実施例Ｃ３、実施例Ｄ３でも、はんだの濡れ広がり径が上述した判定基準を満たし、はんだの濡れ広がり性に対して十分な効果が得られた。
【００８２】
実施例Ａ４、実施例Ｂ４、実施例Ｃ４、実施例Ｄ４は、ロジンを複合添加したもので、実施例Ａ４では、トリス（２−カルボキシエチル）イソシアヌレートを、本発明で規定された範囲内で５．０ｗｔ％含む。実施例Ｂ４では、トリス（２−カルボキシメチル）イソシアヌレートを、本発明で規定された範囲内で５．０ｗｔ％含む。実施例Ｃ４では、トリス（２−カルボキシプロピル）イソシアヌレートを、本発明で規定された範囲内で５．０ｗｔ％含む。実施例Ｄ４では、ビス（２−カルボキシエチル）イソシアヌレートを、本発明で規定された範囲内で５．０ｗｔ％含む。また、実施例Ａ４、実施例Ｂ４、実施例Ｃ４、実施例Ｄ４では、ロジンとして重合ロジンを、本発明で規定された範囲内で２５．０ｗｔ％、酸変性ロジンを、本発明で規定される範囲内で２０ｗｔ％含む。ロジンの合計の含有量は、本発明で規定された範囲内である。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【００８３】
実施例Ａ４、実施例Ｂ４、実施例Ｃ４、実施例Ｄ４でも、はんだの濡れ広がり径が上述した判定基準を満たし、はんだの濡れ広がり性に対して十分な効果が得られた。
【００８４】
実施例Ａ５〜実施例Ａ８、実施例Ｂ５〜実施例Ｂ８、実施例Ｃ５〜実施例Ｃ８、実施例Ｄ５〜実施例Ｄ８は、アミンの量を変えたもので、実施例Ａ５では、トリス（２−カルボキシエチル）イソシアヌレートを、本発明で規定された範囲内で２０．０ｗｔ％含む。実施例Ｂ５では、トリス（２−カルボキシメチル）イソシアヌレートを、本発明で規定された範囲内で２０．０ｗｔ％含む。実施例Ｃ５では、トリス（２−カルボキシプロピル）イソシアヌレートを、本発明で規定された範囲内で２０．０ｗｔ％含む。実施例Ｄ５では、ビス（２−カルボキシエチル）イソシアヌレートを、本発明で規定された範囲内で２０．０ｗｔ％含む。また、実施例Ａ５、実施例Ｂ５、実施例Ｃ５、実施例Ｄ５では、ロジンとして重合ロジンを、本発明で規定された範囲内で４５．０ｗｔ％含む。さらに、アミンを含まず、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で２９．０ｗｔ％含む。
【００８５】
実施例Ａ５、実施例Ｂ５、実施例Ｃ５、実施例Ｄ５では、アミンを含まずとも、イソシアヌル酸トリス（２−カルボキシアルキル）付加体の含有量を増やすことで、はんだの濡れ広がり径が上述した判定基準を満たし、はんだの濡れ広がり性に対して十分な効果が得られた。
【００８６】
実施例Ａ６では、トリス（２−カルボキシエチル）イソシアヌレートを、本発明で規定された範囲内で２０．０ｗｔ％含む。実施例Ｂ６では、トリス（２−カルボキシメチル）イソシアヌレートを、本発明で規定された範囲内で２０．０ｗｔ％含む。実施例Ｃ６では、トリス（２−カルボキシプロピル）イソシアヌレートを、本発明で規定された範囲内で２０．０ｗｔ％含む。実施例Ｄ６では、ビス（２−カルボキシエチル）イソシアヌレートを、本発明で規定された範囲内で２０．０ｗｔ％含む。また、実施例Ａ６、実施例Ｂ６、実施例Ｃ６、実施例Ｄ６では、ロジンとして重合ロジンを、本発明で規定された範囲内で４５．０ｗｔ％含む。さらに、アミンとしてモノエタノールアミンを、本発明で規定された範囲内で０．１ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で２８．９ｗｔ％含む。
【００８７】
実施例Ａ６、実施例Ｂ６、実施例Ｃ６、実施例Ｄ６でも、はんだの濡れ広がり径が上述した判定基準を満たし、はんだの濡れ広がり性に対して十分な効果が得られた。
【００８８】
実施例Ａ７では、トリス（２−カルボキシエチル）イソシアヌレートを、本発明で規定された範囲内で２０．０ｗｔ％含む。実施例Ｂ７では、トリス（２−カルボキシメチル）イソシアヌレートを、本発明で規定された範囲内で２０．０ｗｔ％含む。実施例Ｃ７では、トリス（２−カルボキシプロピル）イソシアヌレートを、本発明で規定された範囲内で２０．０ｗｔ％含む。実施例Ｄ７では、ビス（２−カルボキシエチル）イソシアヌレートを、本発明で規定された範囲内で２０．０ｗｔ％含む。また、実施例Ａ７、実施例Ｂ７、実施例Ｃ７、実施例Ｄ７では、ロジンとして重合ロジンを、本発明で規定された範囲内で４５．０ｗｔ％含む。さらに、アミンとしてモノエタノールアミンを、本発明で規定された範囲内で０．５ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で２８．５ｗｔ％含む。
【００８９】
実施例Ａ７、実施例Ｂ７、実施例Ｃ７、実施例Ｄ７でも、はんだの濡れ広がり径が上述した判定基準を満たし、はんだの濡れ広がり性に対して十分な効果が得られた。
【００９０】
実施例Ａ８では、トリス（２−カルボキシエチル）イソシアヌレートを、本発明で規定された範囲内で５．０ｗｔ％含む。実施例Ｂ８では、トリス（２−カルボキシメチル）イソシアヌレートを、本発明で規定された範囲内で５．０ｗｔ％含む。実施例Ｃ８では、トリス（２−カルボキシプロピル）イソシアヌレートを、本発明で規定された範囲内で５．０ｗｔ％含む。実施例Ｄ８では、ビス（２−カルボキシエチル）イソシアヌレートを、本発明で規定された範囲内で５．０ｗｔ％含む。また、実施例Ａ８、実施例Ｂ８、実施例Ｃ８、実施例Ｄ８では、ロジンとして重合ロジンを、本発明で規定された範囲内で４５．０ｗｔ％含む。さらに、アミンとしてモノエタノールアミンを、本発明で規定された範囲内で１０．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３４．０ｗｔ％含む。
【００９１】
実施例Ａ８、実施例Ｂ８、実施例Ｃ８、実施例Ｄ８でも、はんだの濡れ広がり径が上述した判定基準を満たし、はんだの濡れ広がり性に対して十分な効果が得られた。
【００９２】
実施例Ａ９、実施例Ｂ９、実施例Ｃ９、実施例Ｄ９は、イソシアヌル酸トリス（２−カルボキシアルキル）付加体以外の有機酸を含有するもので、実施例Ａ９では、トリス（２−カルボキシエチル）イソシアヌレートを、本発明で規定された範囲内で０．５ｗｔ％含む。実施例Ｂ９では、トリス（２−カルボキシメチル）イソシアヌレートを、本発明で規定された範囲内で０．５ｗｔ％含む。実施例Ｃ９では、トリス（２−カルボキシプロピル）イソシアヌレートを、本発明で規定された範囲内で０．５ｗｔ％含む。実施例Ｄ９では、ビス（２−カルボキシエチル）イソシアヌレートを、本発明で規定された範囲内で０．５ｗｔ％含む。また、実施例Ａ９、実施例Ｂ９、実施例Ｃ９、実施例Ｄ９では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で１０．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３３．５ｗｔ％含む。
【００９３】
実施例Ａ９、実施例Ｂ９、実施例Ｃ９、実施例Ｄ９では、イソシアヌル酸トリス（２−カルボキシアルキル）付加体以外の有機酸を含有することで、イソシアヌル酸トリス（２−カルボキシアルキル）付加体の含有量を、本発明で規定される範囲内で減らしても、はんだの濡れ広がり径が上述した判定基準を満たし、はんだの濡れ広がり性に対して十分な効果が得られた。
【００９４】
実施例Ａ１０〜実施例Ａ１２、実施例Ｂ１０〜実施例Ｂ１２、実施例Ｃ１０〜実施例Ｃ１２、実施例Ｄ１０〜実施例Ｄ１２は、イソシアヌル酸トリス（２−カルボキシアルキル）付加体以外の有機酸を含有し、アミンの種類を変えたもので、実施例Ａ１０では、トリス（２−カルボキシエチル）イソシアヌレートを、本発明で規定された範囲内で５．０ｗｔ％含む。実施例Ｂ１０では、トリス（２−カルボキシメチル）イソシアヌレートを、本発明で規定された範囲内で５．０ｗｔ％含む。実施例Ｃ１０では、トリス（２−カルボキシプロピル）イソシアヌレートを、本発明で規定された範囲内で５．０ｗｔ％含む。実施例Ｄ１０では、ビス（２−カルボキシエチル）イソシアヌレートを、本発明で規定された範囲内で５．０ｗｔ％含む。また、実施例Ａ１０、実施例Ｂ１０、実施例Ｃ１０、実施例Ｄ１０では、ロジンとして重合ロジンを、本発明で規定された範囲内で４５．０ｗｔ％含む。さらに、有機酸としてグルタル酸を、本発明で規定される範囲内で５．０ｗｔ％、アミンとしてジフェニルグアニジンを、本発明で規定された範囲内で２．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３７．０ｗｔ％含む。
【００９５】
実施例Ａ１０、実施例Ｂ１０、実施例Ｃ１０、実施例Ｄ１０でも、はんだの濡れ広がり径が上述した判定基準を満たし、はんだの濡れ広がり性に対して十分な効果が得られた。
【００９６】
実施例Ａ１１では、トリス（２−カルボキシエチル）イソシアヌレートを、本発明で規定された範囲内で５．０ｗｔ％含む。実施例Ｂ１１では、トリス（２−カルボキシメチル）イソシアヌレートを、本発明で規定された範囲内で５．０ｗｔ％含む。実施例Ｃ１１では、トリス（２−カルボキシプロピル）イソシアヌレートを、本発明で規定された範囲内で５．０ｗｔ％含む。実施例Ｄ１１では、ビス（２−カルボキシエチル）イソシアヌレートを、本発明で規定された範囲内で５．０ｗｔ％含む。また、実施例Ａ１１、実施例Ｂ１１、実施例Ｃ１１、実施例Ｄ１１では、ロジンとして重合ロジンを、本発明で規定された範囲内で４５．０ｗｔ％含む。さらに、有機酸としてグルタル酸を、本発明で規定される範囲内で５．０ｗｔ％、アミンとして２−フェニルイミダゾールを、本発明で規定された範囲内で２．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３７．０ｗｔ％含む。
【００９７】
実施例Ａ１１、実施例Ｂ１１、実施例Ｃ１１、実施例Ｄ１１でも、はんだの濡れ広がり径が上述した判定基準を満たし、はんだの濡れ広がり性に対して十分な効果が得られた。
【００９８】
実施例Ａ１２では、トリス（２−カルボキシエチル）イソシアヌレートを、本発明で規定された範囲内で５．０ｗｔ％含む。実施例Ｂ１２では、トリス（２−カルボキシメチル）イソシアヌレートを、本発明で規定された範囲内で５．０ｗｔ％含む。実施例Ｃ１２では、トリス（２−カルボキシプロピル）イソシアヌレートを、本発明で規定された範囲内で５．０ｗｔ％含む。実施例Ｄ１２では、ビス（２−カルボキシエチル）イソシアヌレートを、本発明で規定された範囲内で５．０ｗｔ％含む。また、実施例Ａ１２、実施例Ｂ１２、実施例Ｃ１２、実施例Ｄ１２では、ロジンとして重合ロジンを、本発明で規定された範囲内で４５．０ｗｔ％含む。さらに、有機酸としてグルタル酸を、本発明で規定される範囲内で５．０ｗｔ％、アミンとして２−フェニル−４−メチルイミダゾールを、本発明で規定された範囲内で２．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３７．０ｗｔ％含む。
【００９９】
実施例Ａ１２、実施例Ｂ１２、実施例Ｃ１２、実施例Ｄ１２でも、はんだの濡れ広がり径が上述した判定基準を満たし、はんだの濡れ広がり性に対して十分な効果が得られた。
【０１００】
実施例Ａ１３、実施例Ｂ１３、実施例Ｃ１３，実施例Ｄ１３は、イソシアヌル酸トリス（２−カルボキシアルキル）付加体以外の有機酸の量を変えたもので、実施例Ａ１３では、トリス（２−カルボキシエチル）イソシアヌレートを、本発明で規定された範囲内で５．０ｗｔ％含む。実施例Ｂ１３では、トリス（２−カルボキシメチル）イソシアヌレートを、本発明で規定された範囲内で５．０ｗｔ％含む。実施例Ｃ１３では、トリス（２−カルボキシプロピル）イソシアヌレートを、本発明で規定された範囲内で５．０ｗｔ％含む。実施例Ｄ１３では、ビス（２−カルボキシエチル）イソシアヌレートを、本発明で規定された範囲内で５．０ｗｔ％含む。また、実施例Ａ１３、実施例Ｂ１３、実施例Ｃ１３、実施例Ｄ１３では、ロジンとして重合ロジンを、本発明で規定された範囲内で４５．０ｗｔ％含む。さらに、有機酸としてグルタル酸を、本発明で規定される範囲内で１０．０ｗｔ％、アミンを含まず、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３４．０ｗｔ％含む。
【０１０１】
実施例Ａ１３、実施例Ｂ１３、実施例Ｃ１３、実施例Ｄ１３では、イソシアヌル酸トリス（２−カルボキシアルキル）付加体以外の有機酸の含有量を、本発明で規定される範囲内で増やすことで、アミンを含まずとも、はんだの濡れ広がり径が上述した判定基準を満たし、はんだの濡れ広がり性に対して十分な効果が得られた。
【０１０２】
実施例Ａ１４、実施例Ｂ１４、実施例Ｃ１４，実施例Ｄ１４は、イソシアヌル酸トリス（２−カルボキシアルキル）付加体以外の有機酸の量を変えたもので、実施例Ａ１４では、トリス（２−カルボキシエチル）イソシアヌレートを、本発明で規定された範囲内で５．０ｗｔ％含む。実施例Ｂ１４では、トリス（２−カルボキシメチル）イソシアヌレートを、本発明で規定された範囲内で５．０ｗｔ％含む。実施例Ｃ１４では、トリス（２−カルボキシプロピル）イソシアヌレートを、本発明で規定された範囲内で５．０ｗｔ％含む。実施例Ｄ１４では、ビス（２−カルボキシエチル）イソシアヌレートを、本発明で規定された範囲内で５．０ｗｔ％含む。また、実施例Ａ１４、実施例Ｂ１４、実施例Ｃ１４、実施例Ｄ１４では、ロジンとして重合ロジンを、本発明で規定された範囲内で４５．０ｗｔ％含む。さらに、有機酸としてアジピン酸を、本発明で規定される範囲内で５．０ｗｔ％、アミンを含まず、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【０１０３】
実施例Ａ１４、実施例Ｂ１４、実施例Ｃ１４、実施例Ｄ１４では、イソシアヌル酸トリス（２−カルボキシアルキル）付加体以外の有機酸の種類を変えることで、アミンを含まずとも、はんだの濡れ広がり径が上述した判定基準を満たし、はんだの濡れ広がり性に対して十分な効果が得られた。
【０１０４】
実施例Ａ１５〜実施例Ａ１６、実施例Ｂ１５〜実施例Ｂ１６、実施例Ｃ１５〜実施例Ｃ１６、実施例Ｄ１５〜実施例Ｄ１６は、イソシアヌル酸トリス（２−カルボキシアルキル）付加体以外の有機酸を含有し、有機ハロゲン化合物の量を変えたもので、実施例Ａ１５では、トリス（２−カルボキシエチル）イソシアヌレートを、本発明で規定された範囲内で５．０ｗｔ％含む。実施例Ｂ１５では、トリス（２−カルボキシメチル）イソシアヌレートを、本発明で規定された範囲内で５．０ｗｔ％含む。実施例Ｃ１５では、トリス（２−カルボキシプロピル）イソシアヌレートを、本発明で規定された範囲内で５．０ｗｔ％含む。実施例Ｄ１５では、ビス（２−カルボキシエチル）イソシアヌレートを、本発明で規定された範囲内で５．０ｗｔ％含む。また、実施例Ａ１５、実施例Ｂ１５、実施例Ｃ１５、実施例Ｄ１５では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で５．０ｗｔ％、有機ハロゲン化合物を含まず、チキソ剤としてヒマシ硬化油を、本発明で規定される範囲内で５ｗｔ％含み、残部を溶剤としてヘキシルジグリコールを、本発明で規定された範囲内で３５．０ｗｔ％含む。
【０１０５】
実施例Ａ１５、実施例Ｂ１５、実施例Ｃ１５、実施例Ｄ１５では、イソシアヌル酸トリス（２−カルボキシアルキル）付加体以外の有機酸と、アミンを本発明で規定される範囲内で含有することで、有機ハロゲン化合物を含まずとも、はんだの濡れ広がり径が上述した判定基準を満たし、はんだの濡れ広がり性に対して十分な効果が得られた。
【０１０６】
実施例Ａ１６では、トリス（２−カルボキシエチル）イソシアヌレートを、本発明で規定された範囲内で５．０ｗｔ％含む。実施例Ｂ１６では、トリス（２−カルボキシメチル）イソシアヌレートを、本発明で規定された範囲内で５．０ｗｔ％含む。実施例Ｃ１６では、トリス（２−カルボキシプロピル）イソシアヌレートを、本発明で規定された範囲内で５．０ｗｔ％含む。実施例Ｄ１６では、ビス（２−カルボキシエチル）イソシアヌレートを、本発明で規定された範囲内で５．０ｗｔ％含む。また、実施例Ａ１６、実施例Ｂ１６、実施例Ｃ１６、実施例Ｄ１６では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で５．０ｗｔ％、チキソ剤としてヒマシ硬化油を、本発明で規定される範囲内で５ｗｔ％含み、残部を溶剤としてヘキシルジグリコールを、本発明で規定された範囲内で３０．０ｗｔ％含む。
【０１０７】
実施例Ａ１６、実施例Ｂ１６、実施例Ｃ１６、実施例Ｄ１６では、イソシアヌル酸トリス（２−カルボキシアルキル）付加体以外の有機酸と、アミンと、さらに有機ハロゲン化合物を本発明で規定される範囲内で含有することでも、はんだの濡れ広がり径が上述した判定基準を満たし、はんだの濡れ広がり性に対して十分な効果が得られた。
【０１０８】
実施例Ａ１７、実施例Ｂ１７、実施例Ｃ１７、実施例Ｄ１７は、イソシアヌル酸トリス（２−カルボキシアルキル）付加体以外の有機酸を含有し、有機ハロゲン化合物の種類を変えたもので、実施例Ａ１７では、トリス（２−カルボキシエチル）イソシアヌレートを、本発明で規定された範囲内で５．０ｗｔ％含む。実施例Ｂ１７では、トリス（２−カルボキシメチル）イソシアヌレートを、本発明で規定された範囲内で５．０ｗｔ％含む。実施例Ｃ１７では、トリス（２−カルボキシプロピル）イソシアヌレートを、本発明で規定された範囲内で５．０ｗｔ％含む。実施例Ｄ１７では、ビス（２−カルボキシエチル）イソシアヌレートを、本発明で規定された範囲内で５．０ｗｔ％含む。また、実施例Ａ１７、実施例Ｂ１７、実施例Ｃ１７、実施例Ｄ１７では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で５．０ｗｔ％、有機ハロゲン化合物としてトリアリルイソシアヌレート６臭化物を、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３４．０ｗｔ％含む。
【０１０９】
実施例Ａ１７、実施例Ｂ１７、実施例Ｃ１７、実施例Ｄ１７でも、はんだの濡れ広がり径が上述した判定基準を満たし、はんだの濡れ広がり性に対して十分な効果が得られた。
【０１１０】
実施例Ａ１８、実施例Ｂ１８、実施例Ｃ１８、実施例Ｄ１８は、イソシアヌル酸トリス（２−カルボキシアルキル）付加体以外の有機酸を含有し、アミンハロゲン水素酸塩を含有するもので、実施例Ａ１８では、トリス（２−カルボキシエチル）イソシアヌレートを、本発明で規定された範囲内で５．０ｗｔ％含む。実施例Ｂ１８では、トリス（２−カルボキシメチル）イソシアヌレートを、本発明で規定された範囲内で５．０ｗｔ％含む。実施例Ｃ１８では、トリス（２−カルボキシプロピル）イソシアヌレートを、本発明で規定された範囲内で５．０ｗｔ％含む。実施例Ｄ１８では、ビス（２−カルボキシエチル）イソシアヌレートを、本発明で規定された範囲内で５．０ｗｔ％含む。また、実施例Ａ１８、実施例Ｂ１８、実施例Ｃ１８、実施例Ｄ１８では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で５．０ｗｔ％、アミンハロゲン水素酸塩としてアニリン・ＨＣｌを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３４．０ｗｔ％含む。
【０１１１】
実施例Ａ１８、実施例Ｂ１８、実施例Ｃ１８、実施例Ｄ１８でも、はんだの濡れ広がり径が上述した判定基準を満たし、はんだの濡れ広がり性に対して十分な効果が得られた。
【０１１２】
実施例Ａ１９、実施例Ｂ１９、実施例Ｃ１９、実施例Ｄ１９は、イソシアヌル酸トリス（２−カルボキシアルキル）付加体以外の有機酸を含有し、アミンハロゲン水素酸塩の種類を変えたもので、実施例Ａ１９では、トリス（２−カルボキシエチル）イソシアヌレートを、本発明で規定された範囲内で５．０ｗｔ％含む。実施例Ｂ１９では、トリス（２−カルボキシメチル）イソシアヌレートを、本発明で規定された範囲内で５．０ｗｔ％含む。実施例Ｃ１９では、トリス（２−カルボキシプロピル）イソシアヌレートを、本発明で規定された範囲内で５．０ｗｔ％含む。実施例Ｄ１９では、ビス（２−カルボキシエチル）イソシアヌレートを、本発明で規定された範囲内で５．０ｗｔ％含む。また、実施例Ａ１９、実施例Ｂ１９、実施例Ｃ１９、実施例Ｄ１９では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で５．０ｗｔ％、アミンハロゲン水素酸塩としてアニリン・ＨＢｒを、本発明で規定される範囲内で５．０ｗｔ％、チキソ剤としてヒマシ硬化油を、本発明で規定される範囲内で５ｗｔ％含み、残部を溶剤としてヘキシルジグリコールを、本発明で規定された範囲内で３０．０ｗｔ％含む。
【０１１３】
実施例Ａ１９、実施例Ｂ１９、実施例Ｃ１９、実施例Ｄ１９でも、はんだの濡れ広がり径が上述した判定基準を満たし、はんだの濡れ広がり性に対して十分な効果が得られた。
【０１１４】
実施例Ａ２０〜実施例Ａ２３、実施例Ｂ２０〜実施例Ｂ２３、実施例Ｃ２０〜実施例Ｃ２３，実施例Ｄ２０〜実施例Ｄ２３は、チキソ剤の量、種類を変えたもので、実施例Ａ２０では、トリス（２−カルボキシエチル）イソシアヌレートを、本発明で規定された範囲内で５．０ｗｔ％含む。実施例Ｂ２０では、トリス（２−カルボキシメチル）イソシアヌレートを、本発明で規定された範囲内で５．０ｗｔ％含む。実施例Ｃ２０では、トリス（２−カルボキシプロピル）イソシアヌレートを、本発明で規定された範囲内で５．０ｗｔ％含む。実施例Ｄ２０では、ビス（２−カルボキシエチル）イソシアヌレートを、本発明で規定された範囲内で５．０ｗｔ％含む。また、実施例Ａ２０、実施例Ｂ２０、実施例Ｃ２０、実施例Ｄ２０では、ロジンとして重合ロジンを、本発明で規定された範囲内で４５．０ｗｔ％、酸変性ロジンを、本発明で規定される範囲内で５ｗｔ％含む。ロジンの合計の含有量は、本発明で規定された範囲内である。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤を含まず、残部を溶剤としてヘキシルジグリコールを、本発明で規定された範囲内で３９．０ｗｔ％含む。
【０１１５】
実施例Ａ２０、実施例Ｂ２０、実施例Ｃ２０、実施例Ｄ２０でも、はんだの濡れ広がり径が上述した判定基準を満たし、はんだの濡れ広がり性に対して十分な効果が得られた。
【０１１６】
実施例Ａ２１では、トリス（２−カルボキシエチル）イソシアヌレートを、本発明で規定された範囲内で５．０ｗｔ％含む。実施例Ｂ２１では、トリス（２−カルボキシメチル）イソシアヌレートを、本発明で規定された範囲内で５．０ｗｔ％含む。実施例Ｃ２１では、トリス（２−カルボキシプロピル）イソシアヌレートを、本発明で規定された範囲内で５．０ｗｔ％含む。実施例Ｄ２１では、ビス（２−カルボキシエチル）イソシアヌレートを、本発明で規定された範囲内で５．０ｗｔ％含む。また、実施例Ａ２１、実施例Ｂ２１、実施例Ｃ２１、実施例Ｄ２１では、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてポリアマイド系チキソ剤を、本発明で規定される範囲内で５．０ｗｔ％含み、残部を溶剤としてヘキシルジグリコールを、本発明で規定された範囲内で３９．０ｗｔ％含む。
【０１１７】
実施例Ａ２１、実施例Ｂ２１、実施例Ｃ２１、実施例Ｄ２１でも、はんだの濡れ広がり径が上述した判定基準を満たし、はんだの濡れ広がり性に対して十分な効果が得られた。
【０１１８】
実施例Ａ２２では、トリス（２−カルボキシエチル）イソシアヌレートを、本発明で規定された範囲内で５．０ｗｔ％含む。実施例Ｂ２２では、トリス（２−カルボキシメチル）イソシアヌレートを、本発明で規定された範囲内で５．０ｗｔ％含む。実施例Ｃ２２では、トリス（２−カルボキシプロピル）イソシアヌレートを、本発明で規定された範囲内で５．０ｗｔ％含む。実施例Ｄ２２では、ビス（２−カルボキシエチル）イソシアヌレートを、本発明で規定された範囲内で５．０ｗｔ％含む。また、実施例Ａ２２、実施例Ｂ２２、実施例Ｃ２２、実施例Ｄ２２では、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてビスアマイド系チキソ剤を、本発明で規定される範囲内で５．０ｗｔ％含み、残部を溶剤としてヘキシルジグリコールを、本発明で規定された範囲内で３９．０ｗｔ％含む。
【０１１９】
実施例Ａ２２、実施例Ｂ２２、実施例Ｃ２２、実施例Ｄ２２でも、はんだの濡れ広がり径が上述した判定基準を満たし、はんだの濡れ広がり性に対して十分な効果が得られた。
【０１２０】
実施例Ａ２３では、トリス（２−カルボキシエチル）イソシアヌレートを、本発明で規定された範囲内で５．０ｗｔ％含む。実施例Ｂ２３では、トリス（２−カルボキシメチル）イソシアヌレートを、本発明で規定された範囲内で５．０ｗｔ％含む。実施例Ｃ２３では、トリス（２−カルボキシプロピル）イソシアヌレートを、本発明で規定された範囲内で５．０ｗｔ％含む。実施例Ｄ２３では、ビス（２−カルボキシエチル）イソシアヌレートを、本発明で規定された範囲内で５．０ｗｔ％含む。また、実施例Ａ２３、実施例Ｂ２３、実施例Ｃ２３、実施例Ｄ２３では、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてアマイド系チキソ剤を、本発明で規定される範囲内で５．０ｗｔ％含み、残部を溶剤としてヘキシルジグリコールを、本発明で規定された範囲内で３９．０ｗｔ％含む。
【０１２１】
実施例Ａ２３、実施例Ｂ２３、実施例Ｃ２３、実施例Ｄ２３でも、はんだの濡れ広がり径が上述した判定基準を満たし、はんだの濡れ広がり性に対して十分な効果が得られた。
【０１２２】
実施例Ａ２４〜実施例Ａ２６、実施例Ｂ２４〜実施例Ｂ２６、実施例Ｃ２４〜実施例Ｃ２６，実施例Ｄ２４〜実施例Ｄ２６は、他の樹脂を含有したもので、実施例Ａ２４では、トリス（２−カルボキシエチル）イソシアヌレートを、本発明で規定された範囲内で５．０ｗｔ％含む。実施例Ｂ２４では、トリス（２−カルボキシメチル）イソシアヌレートを、本発明で規定された範囲内で５．０ｗｔ％含む。実施例Ｃ２４では、トリス（２−カルボキシプロピル）イソシアヌレートを、本発明で規定された範囲内で５．０ｗｔ％含む。実施例Ｄ２４では、ビス（２−カルボキシエチル）イソシアヌレートを、本発明で規定された範囲内で５．０ｗｔ％含む。また、実施例Ａ２４、実施例Ｂ２４、実施例Ｃ２４、実施例Ｄ２４では、ロジンとして重合ロジンを、本発明で規定された範囲内で２５．０ｗｔ％、他の樹脂としてアクリル樹脂を、本発明で規定される範囲内で１０．０ｗｔ％、アクリル・ポリエチレン共重合樹脂を本発明で規定される範囲内で１０．０ｗｔ％含む。他の樹脂の合計の含有量は、本発明で規定された範囲内であり、アクリル樹脂とロジンの比率（アクリル樹脂／ロジン）は、本発明で規定される範囲内で０．８である。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【０１２３】
実施例Ａ２４、実施例Ｂ２４、実施例Ｃ２４、実施例Ｄ２４では、他の樹脂としてアクリル樹脂を含むことでも、はんだの濡れ広がり径が上述した判定基準を満たし、はんだの濡れ広がり性に対して十分な効果が得られた。
【０１２４】
実施例Ａ２５では、トリス（２−カルボキシエチル）イソシアヌレートを、本発明で規定された範囲内で５．０ｗｔ％含む。実施例Ｂ２５では、トリス（２−カルボキシメチル）イソシアヌレートを、本発明で規定された範囲内で５．０ｗｔ％含む。実施例Ｃ２５では、トリス（２−カルボキシプロピル）イソシアヌレートを、本発明で規定された範囲内で５．０ｗｔ％含む。実施例Ｄ２５では、ビス（２−カルボキシエチル）イソシアヌレートを、本発明で規定された範囲内で５．０ｗｔ％含む。また、実施例Ａ２５、実施例Ｂ２５、実施例Ｃ２５、実施例Ｄ２５では、ロジンとして重合ロジンを、本発明で規定された範囲内で４０．０ｗｔ％、アクリル樹脂を、本発明で規定される範囲内で５．０ｗｔ％含む。アクリル樹脂とロジンの比率（アクリル樹脂／ロジン）は、本発明で規定される範囲内で０．１２５である。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【０１２５】
実施例Ａ２５、実施例Ｂ２５、実施例Ｃ２５、実施例Ｄ２５でも、はんだの濡れ広がり径が上述した判定基準を満たし、はんだの濡れ広がり性に対して十分な効果が得られた。
【０１２６】
実施例Ａ２６では、トリス（２−カルボキシエチル）イソシアヌレートを、本発明で規定された範囲内で５．０ｗｔ％含む。実施例Ｂ２６では、トリス（２−カルボキシメチル）イソシアヌレートを、本発明で規定された範囲内で５．０ｗｔ％含む。実施例Ｃ２６では、トリス（２−カルボキシプロピル）イソシアヌレートを、本発明で規定された範囲内で５．０ｗｔ％含む。実施例Ｄ２６では、ビス（２−カルボキシエチル）イソシアヌレートを、本発明で規定された範囲内で５．０ｗｔ％含む。また、実施例Ａ２６、実施例Ｂ２６、実施例Ｃ２６、実施例Ｄ２６では、ロジンとして重合ロジンを、本発明で規定された範囲内で５．０ｗｔ％、アクリル樹脂を、本発明で規定される範囲内で２０．０ｗｔ％、アクリル・ポリエチレン共重合樹脂を本発明で規定される範囲内で１０．０ｗｔ％含む。他の樹脂の合計の含有量は、本発明で規定された範囲内であり、アクリル樹脂とロジンの比率（アクリル樹脂／ロジン）は、本発明で規定される範囲内で６．０である。また、有機酸としてアジピン酸を、本発明で規定される範囲内で５．０ｗｔ％、水添ダイマー酸を、本発明で規定される範囲内で５．０ｗｔ％含む。有機酸の合計の含有量は、本発明で規定された範囲内である。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【０１２７】
実施例Ａ２６、実施例Ｂ２６、実施例Ｃ２６、実施例Ｄ２６では、他の樹脂としてアクリル樹脂を含むことで、ロジンの含有量を本発明で規定される範囲内で減らしても、はんだの濡れ広がり径が上述した判定基準を満たし、はんだの濡れ広がり性に対して十分な効果が得られた。
【０１２８】
これに対し、比較例Ａ１では、トリス（２−カルボキシエチル）イソシアヌレートを含まず、他のイソシアヌル酸トリス（２−カルボキシアルキル）付加体も含まない。比較例Ｂ１では、トリス（２−カルボキシメチル）イソシアヌレートを含まず、他のイソシアヌル酸トリス（２−カルボキシアルキル）付加体も含まない。比較例Ｃ１では、トリス（２−カルボキシプロピル）イソシアヌレートを含まず、他のイソシアヌル酸トリス（２−カルボキシアルキル）付加体も含まない。比較例Ｄ１は、ビス（２−カルボキシエチル）イソシアヌレートトリス（２−カルボキシエチル）イソシアヌレートを含まず、他のイソシアヌル酸トリス（２−カルボキシアルキル）付加体も含まない。また、比較例Ａ１、比較例Ｂ１、比較例Ｃ１、比較例Ｄ１では、ロジンとして重合ロジンを、本発明で規定された範囲内で４５．０ｗｔ％、有機酸としてグルタル酸を、本発明で規定される範囲内で５．０ｗｔ％、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【０１２９】
比較例Ａ１、比較例Ｂ１、比較例Ｃ１、比較例Ｄ１では、イソシアヌル酸トリス（２−カルボキシアルキル）付加体の何れも含まないことで、ロジン、有機酸、アミン、有機ハロゲン化合物、チキソ剤、溶剤を、本発明で規定される範囲内で含んでも、はんだの濡れ広がり径が上述した判定基準を満たさず、はんだの濡れ広がり性に対して効果が得られなかった。
【０１３０】
比較例Ａ２では、トリス（２−カルボキシエチル）イソシアヌレートを含まず、他のイソシアヌル酸トリス（２−カルボキシアルキル）付加体も含まない。比較例Ｂ２では、トリス（２−カルボキシメチル）イソシアヌレートを含まず、他のイソシアヌル酸トリス（２−カルボキシアルキル）付加体も含まない。比較例Ｃ２では、トリス（２−カルボキシプロピル）イソシアヌレートを含まず、他のイソシアヌル酸トリス（２−カルボキシアルキル）付加体も含まない。比較例Ｄ２は、ビス（２−カルボキシエチル）イソシアヌレートトリス（２−カルボキシエチル）イソシアヌレートを含まず、他のイソシアヌル酸トリス（２−カルボキシアルキル）付加体も含まない。また、比較例Ａ１、比較例Ｂ１、比較例Ｃ１、比較例Ｄ１では、ロジンとして重合ロジンを、本発明で規定された範囲内で４５．０ｗｔ％、有機酸としてアジピン酸を、本発明で規定される範囲内で５．０ｗｔ％、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【０１３１】
比較例Ａ２、比較例Ｂ２、比較例Ｃ２、比較例Ｄ２では、イソシアヌル酸トリス（２−カルボキシアルキル）付加体の何れも含まないことで、ロジン、有機酸、アミン、有機ハロゲン化合物、チキソ剤、溶剤を、本発明で規定される範囲内で含み、かつ有機酸の種類を変えても、はんだの濡れ広がり径が上述した判定基準を満たさず、はんだの濡れ広がり性に対して効果が得られなかった。
【０１３２】
表９は、イソシアヌル酸トリス（２−カルボキシアルキル）付加体としてトリス（２−カルボキシエチル）イソシアヌレート、トリス（２−カルボキシメチル）イソシアヌレート、トリス（２−カルボキシプロピル）イソシアヌレート、ビス（２−カルボキシエチル）イソシアヌレートを複合添加した実施例、他のイソシアヌル酸トリス（２−カルボキシアルキル）付加体の何れも含まない比較例である。
【０１３３】
実施例Ｅ１では、トリス（２−カルボキシエチル）イソシアヌレートを、本発明で規定された範囲内で１．２５ｗｔ％、トリス（２−カルボキシメチル）イソシアヌレートを、本発明で規定された範囲内で１．２５ｗｔ％、トリス（２−カルボキシプロピル）イソシアヌレートを、本発明で規定された範囲内で１．２５ｗｔ％、ビス（２−カルボキシエチル）イソシアヌレートを、本発明で規定された範囲内で１．２５ｗｔ％含む。イソシアヌル酸トリス（２−カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【０１３４】
実施例Ｅ１では、イソシアヌル酸トリス（２−カルボキシアルキル）付加体を複合添加しても、はんだの濡れ広がり径が上述した判定基準を満たし、はんだの濡れ広がり性に対して十分な効果が得られた。
【０１３５】
実施例Ｅ２では、トリス（２−カルボキシエチル）イソシアヌレートを、本発明で規定された範囲内で２．５ｗｔ％、トリス（２−カルボキシメチル）イソシアヌレートを、本発明で規定された範囲内で２．５ｗｔ％含む。イソシアヌル酸トリス（２−カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【０１３６】
実施例Ｅ２でも、はんだの濡れ広がり径が上述した判定基準を満たし、はんだの濡れ広がり性に対して十分な効果が得られた。
【０１３７】
実施例Ｅ３では、トリス（２−カルボキシエチル）イソシアヌレートを、本発明で規定された範囲内で２．５ｗｔ％、トリス（２−カルボキシプロピル）イソシアヌレートを、本発明で規定された範囲内で２．５ｗｔ％含む。イソシアヌル酸トリス（２−カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【０１３８】
実施例Ｅ３でも、はんだの濡れ広がり径が上述した判定基準を満たし、はんだの濡れ広がり性に対して十分な効果が得られた。
【０１３９】
実施例Ｅ４では、トリス（２−カルボキシエチル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸トリス（２−カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【０１４０】
実施例Ｅ４でも、はんだの濡れ広がり径が上述した判定基準を満たし、はんだの濡れ広がり性に対して十分な効果が得られた。
【０１４１】
実施例Ｅ５では、トリス（２−カルボキシメチル）イソシアヌレートを、本発明で規定された範囲内で２．５ｗｔ％、トリス（２−カルボキシプロピル）イソシアヌレートを、本発明で規定された範囲内で２．５ｗｔ％含む。イソシアヌル酸トリス（２−カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【０１４２】
実施例Ｅ５でも、はんだの濡れ広がり径が上述した判定基準を満たし、はんだの濡れ広がり性に対して十分な効果が得られた。
【０１４３】
実施例Ｅ６では、トリス（２−カルボキシメチル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸トリス（２−カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【０１４４】
実施例Ｅ６でも、はんだの濡れ広がり径が上述した判定基準を満たし、はんだの濡れ広がり性に対して十分な効果が得られた。
【０１４５】
実施例Ｅ７では、トリス（２−カルボキシプロピル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸トリス（２−カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【０１４６】
実施例Ｅ７でも、はんだの濡れ広がり径が上述した判定基準を満たし、はんだの濡れ広がり性に対して十分な効果が得られた。
【０１４７】
実施例Ｅ８では、トリス（２−カルボキシエチル）イソシアヌレートを、本発明で規定された範囲内で２．５ｗｔ％、トリス（２−カルボキシメチル）イソシアヌレートを、本発明で規定された範囲内で２．５ｗｔ％、トリス（２−カルボキシプロピル）イソシアヌレートを、本発明で規定された範囲内で２．５ｗｔ％含む。イソシアヌル酸トリス（２−カルボキシアルキル）付加体の合計の含有量は７．５ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で３．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３８．５ｗｔ％含む。
【０１４８】
実施例Ｅ８でも、はんだの濡れ広がり径が上述した判定基準を満たし、はんだの濡れ広がり性に対して十分な効果が得られた。
【０１４９】
実施例Ｅ９では、トリス（２−カルボキシエチル）イソシアヌレートを、本発明で規定された範囲内で２．５ｗｔ％、トリス（２−カルボキシメチル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸トリス（２−カルボキシアルキル）付加体の合計の含有量は７．５ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で３．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３８．５ｗｔ％含む。
【０１５０】
実施例Ｅ９でも、はんだの濡れ広がり径が上述した判定基準を満たし、はんだの濡れ広がり性に対して十分な効果が得られた。
【０１５１】
実施例Ｅ１０では、トリス（２−カルボキシエチル）イソシアヌレートを、本発明で規定された範囲内で２．５ｗｔ％、トリス（２−カルボキシプロピル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸トリス（２−カルボキシアルキル）付加体の合計の含有量は７．５ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で３．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３８．５ｗｔ％含む。
【０１５２】
実施例Ｅ１０でも、はんだの濡れ広がり径が上述した判定基準を満たし、はんだの濡れ広がり性に対して十分な効果が得られた。
【０１５３】
実施例Ｅ１１では、トリス（２−カルボキシメチル）イソシアヌレートを、本発明で規定された範囲内で２．５ｗｔ％、トリス（２−カルボキシプロピル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸トリス（２−カルボキシアルキル）付加体の合計の含有量は７．５ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で３．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３８．５ｗｔ％含む。
【０１５４】
実施例Ｅ１１でも、はんだの濡れ広がり径が上述した判定基準を満たし、はんだの濡れ広がり性に対して十分な効果が得られた。
【０１５５】
これに対し、比較例Ｅ１では、トリス（２−カルボキシエチル）イソシアヌレート、トリス（２−カルボキシメチル）イソシアヌレート、トリス（２−カルボキシプロピル）イソシアヌレート、ビス（２−カルボキシエチル）イソシアヌレートトリス（２−カルボキシエチル）イソシアヌレートの何れも含まない。また、ロジンとして重合ロジンを、本発明で規定された範囲内で４５．０ｗｔ％、有機酸としてグルタル酸を、本発明で規定される範囲内で５．０ｗｔ％、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【０１５６】
比較例Ｅ１では、イソシアヌル酸トリス（２−カルボキシアルキル）付加体の何れも含まないことで、ロジン、有機酸、アミン、有機ハロゲン化合物、チキソ剤、溶剤を、本発明で規定される範囲内で含んでも、はんだの濡れ広がり径が上述した判定基準を満たさず、はんだの濡れ広がり性に対して効果が得られなかった。
【０１５７】
比較例Ｅ２では、トリス（２−カルボキシエチル）イソシアヌレート、トリス（２−カルボキシメチル）イソシアヌレート、トリス（２−カルボキシプロピル）イソシアヌレート、ビス（２−カルボキシエチル）イソシアヌレートトリス（２−カルボキシエチル）イソシアヌレートの何れも含まない。また、ロジンとして重合ロジンを、本発明で規定された範囲内で４５．０ｗｔ％、有機酸としてアジピン酸を、本発明で規定される範囲内で５．０ｗｔ％、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【０１５８】
比較例Ｅ２では、イソシアヌル酸トリス（２−カルボキシアルキル）付加体の何れも含まないことで、ロジン、有機酸、アミン、有機ハロゲン化合物、チキソ剤、溶剤を、本発明で規定される範囲内で含み、かつ有機酸の種類を変えても、はんだの濡れ広がり径が上述した判定基準を満たさず、はんだの濡れ広がり性に対して効果が得られなかった。
【０１５９】
以上のことから、イソシアヌル酸（２−カルボキシアルキル）付加体を０．５ｗｔ％以上２０．０ｗｔ％以下、ロジンを５．０ｗｔ％以上５０．０ｗｔ％以下含み、さらに溶剤を含むフラックスでは、所望の温度域で酸化物の除去効果が高められた。
【０１６０】
これにより、このフラックス、及び、このフラックスを用いたソルダペーストでは、リフロー炉ではんだ付けを行うことで、はんだの不濡れの要因となる酸化物が除去され、はんだの濡れ広がり性が向上した。
【０１６１】
これらの効果は、はんだの濡れ広がり性を向上させる本実施の形態のフラックスにおいて任意添加物であるアクリル樹脂、イソシアヌル酸（２−カルボキシアルキル）付加体以外の他の有機酸、アミン、有機ハロゲン化合物、アミンハロゲン化水素酸塩、チキソ剤を、本発明で規定される範囲内で含むことでも阻害されなかった。
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
イソシアヌル酸（２−カルボキシアルキル）付加体を含む
フラックス。
【請求項２】
さらに樹脂を含む
請求項１に記載のフラックス。
【請求項３】
樹脂はロジンである
請求項２に記載のフラックス。
【請求項４】
イソシアヌル酸（２−カルボキシアルキル）付加体を０．５ｗｔ％以上２０．０ｗｔ％以下含む
請求項１〜請求項３の何れか１項に記載のフラックス。
【請求項５】
イソシアヌル酸（２−カルボキシアルキル）付加体は、イソシアヌル酸モノ（２−カルボキシアルキル）付加体、イソシアヌル酸ビス（２−カルボキシアルキル）付加体、イソシアヌル酸トリス（２−カルボキシアルキル）付加体のいずれか、あるいは２種以上の組み合わせである
請求項１〜請求項４の何れか１項に記載のフラックス。
【請求項６】
イソシアヌル酸トリス（２−カルボキシアルキル）付加体は、トリス（２−カルボキシエチル）イソシアヌレートである
請求項５に記載のフラックス。
【請求項７】
イソシアヌル酸トリス（２−カルボキシアルキル）付加体は、トリス（２−カルボキシメチル）イソシアヌレートである
請求項５に記載のフラックス。
【請求項８】
イソシアヌル酸トリス（２−カルボキシアルキル）付加体は、トリス（２−カルボキシプロピル）イソシアヌレートである
請求項５に記載のフラックス。
【請求項９】
イソシアヌル酸ビス（２−カルボキシアルキル）付加体は、ビス（２−カルボキシエチル）イソシアヌレートである
請求項５に記載のフラックス。
【請求項１０】
イソシアヌル酸（２−カルボキシアルキル）付加体を０．５ｗｔ％以上２０．０ｗｔ％以下、ロジンを５．０ｗｔ％以上５０．０ｗｔ％以下含み、さらに溶剤を含む
フラックス。
【請求項１１】
イソシアヌル酸（２−カルボキシアルキル）付加体は、イソシアヌル酸モノ（２−カルボキシアルキル）付加体、イソシアヌル酸ビス（２−カルボキシアルキル）付加体、イソシアヌル酸トリス（２−カルボキシアルキル）付加体のいずれか、あるいは２種以上の組み合わせである
請求項７に記載のフラックス。
【請求項１２】
イソシアヌル酸トリス（２−カルボキシアルキル）付加体は、トリス（２−カルボキシエチル）イソシアヌレートである
請求項１１に記載のフラックス。
【請求項１３】
イソシアヌル酸トリス（２−カルボキシアルキル）付加体は、トリス（２−カルボキシメチル）イソシアヌレートである
請求項１１に記載のフラックス。
【請求項１４】
イソシアヌル酸トリス（２−カルボキシアルキル）付加体は、トリス（２−カルボキシプロピル）イソシアヌレートである
請求項１１に記載のフラックス。
【請求項１５】
イソシアヌル酸ビス（２−カルボキシアルキル）付加体は、ビス（２−カルボキシエチル）イソシアヌレートである
請求項１１に記載のフラックス。
【請求項１６】
さらにロジン以外の他の樹脂を０ｗｔ％以上３０．０ｗｔ％以下含む
請求項１０〜請求項１５の何れか１項に記載のフラックス。
【請求項１７】
ロジン以外の他の樹脂はアクリル樹脂である
請求項１６に記載のフラックス。
【請求項１８】
アクリル樹脂の含有量が０ｗｔ超である場合、アクリル樹脂とロジンの比率は０．１以上〜９．０以下である
請求項１７に記載のフラックス。
【請求項１９】
さらにイソシアヌル酸（２−カルボキシアルキル）付加体以外の他の有機酸を０ｗｔ％以上１０．０ｗｔ％以下、アミンを０ｗｔ％以上５．０ｗｔ％以下、有機ハロゲン化合物の含有量を０ｗｔ％以上５．０ｗｔ％以下、アミンハロゲン化水素酸塩を０ｗｔ％以上５．０ｗｔ％以下、チキソ剤を０ｗｔ％以上１０．０ｗｔ％以下含む
請求項１０〜請求項１８の何れか１項に記載のフラックス。
【請求項２０】
請求項１〜請求項１９の何れか１項に記載のフラックスと、金属粉を含む
ソルダペースト。
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせを０．５ｗｔ％以上２０．０ｗｔ％以下含み、
さらに樹脂と溶剤を含み、
樹脂はロジン、または、ロジンとアクリル樹脂からなり、
ロジンを５．０ｗｔ％以上５０．０ｗｔ％以下、
アクリル樹脂を０ｗｔ％以上３０．０ｗｔ％以下含み、
溶剤を２８．５ｗｔ％以上３９．０ｗｔ％以下含む
フラックス。
【請求項２】
トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせを０．５ｗｔ％以上２０．０ｗｔ％以下含み、
さらに樹脂と溶剤を含み、
樹脂はロジン、または、ロジンとアクリル樹脂からなり、
ロジンを５．０ｗｔ％以上５０．０ｗｔ％以下、
アクリル樹脂を０ｗｔ％以上３０．０ｗｔ％以下含み、
樹脂と溶剤の比率（樹脂／溶剤）は０．９以上１．５８以下である
フラックス。
【請求項３】
さらにアミンを０ｗｔ％超１０．０ｗｔ％以下含む
請求項１または請求項２に記載のフラックス。
【請求項４】
トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせを０．５ｗｔ％以上２０．０ｗｔ％以下含み、
さらに樹脂と溶剤を含み、
樹脂はロジン、または、ロジンとアクリル樹脂からなり、
ロジンを５．０ｗｔ％以上５０．０ｗｔ％以下、
アクリル樹脂を０ｗｔ％以上３０．０ｗｔ％以下含み、
さらにアミンを０ｗｔ％超１０．０ｗｔ％以下含む
フラックス。
【請求項５】
アクリル樹脂の含有量が０ｗｔ超である場合、アクリル樹脂とロジンの比率（アクリル樹脂／ロジン）は０．１以上〜９．０以下である
請求項１〜請求項４の何れか１項に記載のフラックス。
【請求項６】
さらにトリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレート以外の他の有機酸を０ｗｔ％以上１０．０ｗｔ％以下、有機ハロゲン化合物の含有量を０ｗｔ％以上５．０ｗｔ％以下、アミンハロゲン化水素酸塩を０ｗｔ％以上５．０ｗｔ％以下、チキソ剤を０ｗｔ％以上１０．０ｗｔ％以下含む
請求項１〜請求項５の何れか１項に記載のフラックス。
【請求項７】
請求項１〜請求項６の何れか１項に記載のフラックスと、金属粉を含む
ソルダペースト。
【手続補正２】
【補正対象書類名】明細書
【補正対象項目名】０００８
【補正方法】変更
【補正の内容】
【０００８】
フラックスにイソシアヌル酸（カルボキシアルキル）付加体を含むことで、接合部品へのはんだの濡れ性が改善できることを見出した。
【手続補正３】
【補正対象書類名】明細書
【補正対象項目名】０００９
【補正方法】変更
【補正の内容】
【０００９】
そこで、本発明は、イソシアヌル酸（カルボキシアルキル）付加体を含むフラックスである。
【手続補正４】
【補正対象書類名】明細書
【補正対象項目名】００１０
【補正方法】変更
【補正の内容】
【００１０】
本発明のフラックスは、さらに樹脂を含むことが好ましく、樹脂がロジンであることが好ましい。また、本発明のフラックスは、イソシアヌル酸（カルボキシアルキル）付加体を０．５ｗｔ％以上２０．０ｗｔ％以下含むことが好ましい。
【手続補正５】
【補正対象書類名】明細書
【補正対象項目名】００１１
【補正方法】変更
【補正の内容】
【００１１】
本発明のフラックスは、イソシアヌル酸（カルボキシアルキル）付加体が、イソシアヌル酸モノ（カルボキシアルキル）付加体、イソシアヌル酸ビス（カルボキシアルキル）付加体、イソシアヌル酸トリス（カルボキシアルキル）付加体のいずれか、あるいは２種以上の組み合わせであることが好ましく、イソシアヌル酸トリス（カルボキシアルキル）付加体は、トリス（２−カルボキシエチル）イソシアヌレート、トリス（１−カルボキシメチル）イソシアヌレート、トリス（３−カルボキシプロピル）イソシアヌレートであり、イソシアヌル酸ビス（カルボキシアルキル）付加体は、ビス（２−カルボキシエチル）イソシアヌレートであることが好ましい。
【手続補正６】
【補正対象書類名】明細書
【補正対象項目名】００１２
【補正方法】変更
【補正の内容】
【００１２】
また、本発明は、イソシアヌル酸（カルボキシアルキル）付加体を０．５ｗｔ％以上２０．０ｗｔ％以下、ロジンを５．０ｗｔ％以上５０．０ｗｔ％以下含み、さらに溶剤を含むフラックスである。
【手続補正７】
【補正対象書類名】明細書
【補正対象項目名】００１３
【補正方法】変更
【補正の内容】
【００１３】
本発明のフラックスでは、さらにロジン以外の他の樹脂を０ｗｔ％以上３０．０ｗｔ％以下含むことが好ましく、ロジン以外の他の樹脂はアクリル樹脂であり、アクリル樹脂の含有量が０ｗｔ％超である場合、アクリル樹脂とロジンの比率は０．１以上〜９．０以下であることが好ましい。さらにイソシアヌル酸（カルボキシアルキル）付加体以外の他の有機酸を０ｗｔ％以上１０．０ｗｔ％以下、アミンを０ｗｔ％以上５．０ｗｔ％以下、有機ハロゲン化合物の含有量を０ｗｔ％以上５．０ｗｔ％以下、アミンハロゲン化水素酸塩を０ｗｔ％以上５．０ｗｔ％以下、チキソ剤を０ｗｔ％以上１０．０ｗｔ％以下含むことが好ましい。
【手続補正８】
【補正対象書類名】明細書
【補正対象項目名】００１５
【補正方法】変更
【補正の内容】
【００１５】
本発明のフラックスでは、イソシアヌル酸（カルボキシアルキル）付加体を含むことで、このフラックス、及び、このフラックスを用いたソルダペーストでは、リフロー炉ではんだ付けを行うことで、はんだの不濡れの要因となる酸化物が除去され、はんだの濡れ広がり性が向上する。
【手続補正９】
【補正対象書類名】明細書
【補正対象項目名】００１６
【補正方法】変更
【補正の内容】
【００１６】
＜本実施の形態のフラックスの一例＞
本実施の形態のフラックスは、イソシアヌル酸（カルボキシアルキル）付加体を含む。本実施の形態のフラックスは、さらに樹脂と溶剤を含む。
【手続補正１０】
【補正対象書類名】明細書
【補正対象項目名】００１７
【補正方法】変更
【補正の内容】
【００１７】
イソシアヌル酸（カルボキシアルキル）付加体は、六員（６員）複素環式化合物で、直鎖構造のカルボン酸、分岐構造のカルボン酸等の有機酸と比較して、はんだ付けで想定される温度域での耐熱性を有し、はんだ付け時に活性剤として機能する。
【手続補正１１】
【補正対象書類名】明細書
【補正対象項目名】００１９
【補正方法】変更
【補正の内容】
【００１９】
イソシアヌル酸（カルボキシアルキル）付加体としては、イソシアヌル酸モノ（カルボキシアルキル）付加体、イソシアヌル酸ビス（カルボキシアルキル）付加体、イソシアヌル酸トリス（カルボキシアルキル）付加体等が挙げられる。
【手続補正１２】
【補正対象書類名】明細書
【補正対象項目名】００２０
【補正方法】変更
【補正の内容】
【００２０】
イソシアヌル酸トリス（カルボキシアルキル）付加体としては、トリス（２−カルボキシエチル）イソシアヌレート、トリス（１−カルボキシメチル）イソシアヌレート、トリス（３−カルボキシプロピル）イソシアヌレート等が挙げられる。また、イソシアヌル酸ビス（カルボキシアルキル）付加体としては、ビス（２−カルボキシエチル）イソシアヌレート等が挙げられる。
【手続補正１３】
【補正対象書類名】明細書
【補正対象項目名】００２１
【補正方法】変更
【補正の内容】
【００２１】
トリス（２−カルボキシエチル）イソシアヌレートの構造式を以下の（１）式に示す。トリス（２−カルボキシエチル）イソシアヌレートのＣＡＳ登録番号は、２９０４−４１−８である。トリス（１−カルボキシメチル）イソシアヌレートの構造式を以下の（２）式に示す。トリス（１−カルボキシメチル）イソシアヌレートのＣＡＳ登録番号は、１９６８−５２−１である。トリス（３−カルボキシプロピル）イソシアヌレートの構造式を以下の（３）式に示す。トリス（３−カルボキシプロピル）イソシアヌレートのＣＡＳ登録番号は、３１９０１７−３１−７である。ビス（２−カルボキシエチル）イソシアヌレートの構造式を以下の（４）式に示す。ビス（２−カルボキシエチル）イソシアヌレートのＣＡＳ登録番号は、２９０４−４０−７である。
【手続補正１４】
【補正対象書類名】明細書
【補正対象項目名】００２３
【補正方法】変更
【補正の内容】
【００２３】
イソシアヌル酸（カルボキシアルキル）付加体は、はんだの濡れ広がり性を向上させる本実施の形態のフラックスにおいて必須の成分であり、これらの１種または２種以上を使用することができる。イソシアヌル酸（カルボキシアルキル）付加体の含有量は、０．５ｗｔ％以上２０．０ｗｔ％以下であることが好ましい。
【手続補正１５】
【補正対象書類名】明細書
【補正対象項目名】００３１
【補正方法】変更
【補正の内容】
【００３１】
本実施の形態のフラックスは、イソシアヌル酸（カルボキシアルキル）付加体に加えて、その他の活性剤を含んでも良い。その他の活性剤を含むことで酸化物の除去効果を高めることができる。
【手続補正１６】
【補正対象書類名】明細書
【補正対象項目名】００３２
【補正方法】変更
【補正の内容】
【００３２】
その他の活性剤としては、イソシアヌル酸（カルボキシアルキル）付加体以外の他の有機酸、アミン、有機ハロゲン化合物、アミンハロゲン化水素酸塩等が挙げられる。
【手続補正１７】
【補正対象書類名】明細書
【補正対象項目名】００３３
【補正方法】変更
【補正の内容】
【００３３】
イソシアヌル酸（カルボキシアルキル）付加体以外の他の有機酸としては、グルタル酸、アジピン酸、アゼライン酸、エイコサン二酸、クエン酸、グリコール酸、コハク酸、サリチル酸、ジグリコール酸、ジピコリン酸、ジブチルアニリンジグリコール酸、スベリン酸、セバシン酸、チオグリコール酸、フタル酸、イソフタル酸、テレフタル酸、ドデカン二酸、パラヒドロキシフェニル酢酸、ピコリン酸、フェニルコハク酸、フマル酸、マレイン酸、マロン酸、ラウリン酸、安息香酸、酒石酸、イソシアヌル酸トリス（２−カルボキシエチル）、グリシン、１，３−シクロヘキサンジカルボン酸、２，２−ビス（ヒドロキシメチル）プロピオン酸、２，２−ビス（ヒドロキシメチル）ブタン酸、４−ｔｅｒｔ−ブチル安息香酸、２，３−ジヒドロキシ安息香酸、２，４−ジエチルグルタル酸、２−キノリンカルボン酸、３−ヒドロキシ安息香酸、リンゴ酸、ｐ−アニス酸、パルミチン酸、ステアリン酸、１２−ヒドロキシステアリン酸、オレイン酸、リノール酸、リノレン酸等が挙げられる。
【手続補正１８】
【補正対象書類名】明細書
【補正対象項目名】００３４
【補正方法】変更
【補正の内容】
【００３４】
また、イソシアヌル酸（カルボキシアルキル）付加体以外の他の有機酸としては、モノカルボン酸の反応物で２量体であるダイマー酸、ダイマー酸に水素を添加した水添ダイマー酸、モノカルボン酸の反応物で３量体であるトリマー酸、トリマー酸に水素を添加した水添トリマー酸が挙げられる。
【手続補正１９】
【補正対象書類名】明細書
【補正対象項目名】００３８
【補正方法】変更
【補正の内容】
【００３８】
イソシアヌル酸（カルボキシアルキル）付加体以外の他の有機酸は、はんだの濡れ広がり性を向上させる本実施の形態のフラックスにおいて任意添加の成分であり、これらの１種または２種以上を使用することができる。イソシアヌル酸（カルボキシアルキル）付加体以外の他の有機酸の含有量は０ｗｔ％以上１０．０ｗｔ％以下であることが好ましい。
【手続補正２０】
【補正対象書類名】明細書
【補正対象項目名】００５１
【補正方法】変更
【補正の内容】
【００５１】
溶剤は、はんだの濡れ広がり性を向上させる本実施の形態のフラックスにおいて必須の成分であり、これらの１種または２種以上を使用することができる。溶剤の含有量は、イソシアヌル酸（カルボキシアルキル）付加体と、樹脂と、溶剤のみを必須の成分として上記所定の含有量で含む場合、必須成分の含有量の残部である。
【手続補正２１】
【補正対象書類名】明細書
【補正対象項目名】００６０
【補正方法】変更
【補正の内容】
【００６０】
＜本実施の形態のフラックス及びソルダペーストの作用効果例＞
イソシアヌル酸（カルボキシアルキル）付加体を０．５ｗｔ％以上２０．０ｗｔ％以下、ロジンを５．０ｗｔ％以上５０．０ｗｔ％以下含み、さらに溶剤を含むフラックス、及び、このフラックスを用いたソルダペーストでは、リフロー炉ではんだ付けを行うことで、はんだの不濡れの要因となる酸化物が除去され、はんだの濡れ広がり性が向上する。
【手続補正２２】
【補正対象書類名】明細書
【補正対象項目名】００６６
【補正方法】変更
【補正の内容】
【００６６】
【表１】
2020110833.tif 000012
【手続補正２３】
【補正対象書類名】明細書
【補正対象項目名】００６７
【補正方法】変更
【補正の内容】
【００６７】
【表２】
2020110833.tif 000013
【手続補正２４】
【補正対象書類名】明細書
【補正対象項目名】００６８
【補正方法】変更
【補正の内容】
【００６８】
【表３】
2020110833.tif 000014
【手続補正２５】
【補正対象書類名】明細書
【補正対象項目名】００６９
【補正方法】変更
【補正の内容】
【００６９】
【表４】
2020110833.tif 000015
【手続補正２６】
【補正対象書類名】明細書
【補正対象項目名】００７０
【補正方法】変更
【補正の内容】
【００７０】
【表５】
2020110833.tif 000016
【手続補正２７】
【補正対象書類名】明細書
【補正対象項目名】００７１
【補正方法】変更
【補正の内容】
【００７１】
【表６】
2020110833.tif 000017
【手続補正２８】
【補正対象書類名】明細書
【補正対象項目名】００７２
【補正方法】変更
【補正の内容】
【００７２】
【表７】
2020110833.tif 000018
【手続補正２９】
【補正対象書類名】明細書
【補正対象項目名】００７３
【補正方法】変更
【補正の内容】
【００７３】
【表８】
2020110833.tif 000019
【手続補正３０】
【補正対象書類名】明細書
【補正対象項目名】００７４
【補正方法】変更
【補正の内容】
【００７４】
【表９】
2020110833.tif 000020
【手続補正３１】
【補正対象書類名】明細書
【補正対象項目名】００７５
【補正方法】変更
【補正の内容】
【００７５】
表１、表２は、イソシアヌル酸（カルボキシアルキル）付加体としてトリス（２−カルボキシエチル）イソシアヌレートを含む実施例、トリス（２−カルボキシエチル）イソシアヌレートを含まず、他のイソシアヌル酸（カルボキシアルキル）付加体も含まない比較例である。表３、表４は、イソシアヌル酸（カルボキシアルキル）付加体としてトリス（１−カルボキシメチル）イソシアヌレートを含む実施例、トリス（１−カルボキシメチル）イソシアヌレートを含まず、他のイソシアヌル酸（カルボキシアルキル）付加体も含まない比較例である。表５、表６は、イソシアヌル酸（カルボキシアルキル）付加体としてトリス（３−カルボキシプロピル）イソシアヌレートを含む実施例、トリス（３−カルボキシプロピル）イソシアヌレートを含まず、他のイソシアヌル酸（カルボキシアルキル）付加体も含まない比較例である。表７、表８は、イソシアヌル酸（カルボキシアルキル）付加体としてビス（２−カルボキシエチル）イソシアヌレートを含む実施例、ビス（２−カルボキシエチル）イソシアヌレートを含まず、他のイソシアヌル酸（カルボキシアルキル）付加体も含まない比較例である。
【手続補正３２】
【補正対象書類名】明細書
【補正対象項目名】００７６
【補正方法】変更
【補正の内容】
【００７６】
実施例Ａ１〜実施例Ａ３、実施例Ｂ１〜実施例Ｂ３、実施例Ｃ１〜実施例Ｃ３、実施例Ｄ１〜実施例Ｄ３は、ロジンの種類を変えたもので、実施例Ａ１では、トリス（２−カルボキシエチル）イソシアヌレートを、本発明で規定された範囲内で５．０ｗｔ％含む。実施例Ｂ１では、トリス（１−カルボキシメチル）イソシアヌレートを、本発明で規定された範囲内で５．０ｗｔ％含む。実施例Ｃ１では、トリス（３−カルボキシプロピル）イソシアヌレートを、本発明で規定された範囲内で５．０ｗｔ％含む。実施例Ｄ１では、ビス（２−カルボキシエチル）イソシアヌレートを、本発明で規定された範囲内で５．０ｗｔ％含む。また、実施例Ａ１、実施例Ｂ１、実施例Ｃ１、実施例Ｄ１では、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正３３】
【補正対象書類名】明細書
【補正対象項目名】００７８
【補正方法】変更
【補正の内容】
【００７８】
実施例Ａ２では、トリス（２−カルボキシエチル）イソシアヌレートを、本発明で規定された範囲内で５．０ｗｔ％含む。実施例Ｂ２では、トリス（１−カルボキシメチル）イソシアヌレートを、本発明で規定された範囲内で５．０ｗｔ％含む。実施例Ｃ２では、トリス（３−カルボキシプロピル）イソシアヌレートを、本発明で規定された範囲内で５．０ｗｔ％含む。実施例Ｄ２では、ビス（２−カルボキシエチル）イソシアヌレートを、本発明で規定された範囲内で５．０ｗｔ％含む。また、実施例Ａ２、実施例Ｂ２、実施例Ｃ２、実施例Ｄ２では、ロジンとして水添ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正３４】
【補正対象書類名】明細書
【補正対象項目名】００８０
【補正方法】変更
【補正の内容】
【００８０】
実施例Ａ３では、トリス（２−カルボキシエチル）イソシアヌレートを、本発明で規定された範囲内で５．０ｗｔ％含む。実施例Ｂ３では、トリス（１−カルボキシメチル）イソシアヌレートを、本発明で規定された範囲内で５．０ｗｔ％含む。実施例Ｃ３では、トリス（３−カルボキシプロピル）イソシアヌレートを、本発明で規定された範囲内で５．０ｗｔ％含む。実施例Ｄ３では、ビス（２−カルボキシエチル）イソシアヌレートを、本発明で規定された範囲内で５．０ｗｔ％含む。また、実施例Ａ３、実施例Ｂ３、実施例Ｃ３、実施例Ｄ３では、ロジンとして酸変性ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正３５】
【補正対象書類名】明細書
【補正対象項目名】００８２
【補正方法】変更
【補正の内容】
【００８２】
実施例Ａ４、実施例Ｂ４、実施例Ｃ４、実施例Ｄ４は、ロジンを複合添加したもので、実施例Ａ４では、トリス（２−カルボキシエチル）イソシアヌレートを、本発明で規定された範囲内で５．０ｗｔ％含む。実施例Ｂ４では、トリス（１−カルボキシメチル）イソシアヌレートを、本発明で規定された範囲内で５．０ｗｔ％含む。実施例Ｃ４では、トリス（３−カルボキシプロピル）イソシアヌレートを、本発明で規定された範囲内で５．０ｗｔ％含む。実施例Ｄ４では、ビス（２−カルボキシエチル）イソシアヌレートを、本発明で規定された範囲内で５．０ｗｔ％含む。また、実施例Ａ４、実施例Ｂ４、実施例Ｃ４、実施例Ｄ４では、ロジンとして重合ロジンを、本発明で規定された範囲内で２５．０ｗｔ％、酸変性ロジンを、本発明で規定される範囲内で２０ｗｔ％含む。ロジンの合計の含有量は、本発明で規定された範囲内である。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正３６】
【補正対象書類名】明細書
【補正対象項目名】００８４
【補正方法】変更
【補正の内容】
【００８４】
実施例Ａ５〜実施例Ａ８、実施例Ｂ５〜実施例Ｂ８、実施例Ｃ５〜実施例Ｃ８、実施例Ｄ５〜実施例Ｄ８は、アミンの量を変えたもので、実施例Ａ５では、トリス（２−カルボキシエチル）イソシアヌレートを、本発明で規定された範囲内で２０．０ｗｔ％含む。実施例Ｂ５では、トリス（１−カルボキシメチル）イソシアヌレートを、本発明で規定された範囲内で２０．０ｗｔ％含む。実施例Ｃ５では、トリス（３−カルボキシプロピル）イソシアヌレートを、本発明で規定された範囲内で２０．０ｗｔ％含む。実施例Ｄ５では、ビス（２−カルボキシエチル）イソシアヌレートを、本発明で規定された範囲内で２０．０ｗｔ％含む。また、実施例Ａ５、実施例Ｂ５、実施例Ｃ５、実施例Ｄ５では、ロジンとして重合ロジンを、本発明で規定された範囲内で４５．０ｗｔ％含む。さらに、アミンを含まず、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で２９．０ｗｔ％含む。
【手続補正３７】
【補正対象書類名】明細書
【補正対象項目名】００８６
【補正方法】変更
【補正の内容】
【００８６】
実施例Ａ６では、トリス（２−カルボキシエチル）イソシアヌレートを、本発明で規定された範囲内で２０．０ｗｔ％含む。実施例Ｂ６では、トリス（１−カルボキシメチル）イソシアヌレートを、本発明で規定された範囲内で２０．０ｗｔ％含む。実施例Ｃ６では、トリス（３−カルボキシプロピル）イソシアヌレートを、本発明で規定された範囲内で２０．０ｗｔ％含む。実施例Ｄ６では、ビス（２−カルボキシエチル）イソシアヌレートを、本発明で規定された範囲内で２０．０ｗｔ％含む。また、実施例Ａ６、実施例Ｂ６、実施例Ｃ６、実施例Ｄ６では、ロジンとして重合ロジンを、本発明で規定された範囲内で４５．０ｗｔ％含む。さらに、アミンとしてモノエタノールアミンを、本発明で規定された範囲内で０．１ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で２８．９ｗｔ％含む。
【手続補正３８】
【補正対象書類名】明細書
【補正対象項目名】００８８
【補正方法】変更
【補正の内容】
【００８８】
実施例Ａ７では、トリス（２−カルボキシエチル）イソシアヌレートを、本発明で規定された範囲内で２０．０ｗｔ％含む。実施例Ｂ７では、トリス（１−カルボキシメチル）イソシアヌレートを、本発明で規定された範囲内で２０．０ｗｔ％含む。実施例Ｃ７では、トリス（３−カルボキシプロピル）イソシアヌレートを、本発明で規定された範囲内で２０．０ｗｔ％含む。実施例Ｄ７では、ビス（２−カルボキシエチル）イソシアヌレートを、本発明で規定された範囲内で２０．０ｗｔ％含む。また、実施例Ａ７、実施例Ｂ７、実施例Ｃ７、実施例Ｄ７では、ロジンとして重合ロジンを、本発明で規定された範囲内で４５．０ｗｔ％含む。さらに、アミンとしてモノエタノールアミンを、本発明で規定された範囲内で０．５ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で２８．５ｗｔ％含む。
【手続補正３９】
【補正対象書類名】明細書
【補正対象項目名】００９０
【補正方法】変更
【補正の内容】
【００９０】
実施例Ａ８では、トリス（２−カルボキシエチル）イソシアヌレートを、本発明で規定された範囲内で５．０ｗｔ％含む。実施例Ｂ８では、トリス（１−カルボキシメチル）イソシアヌレートを、本発明で規定された範囲内で５．０ｗｔ％含む。実施例Ｃ８では、トリス（３−カルボキシプロピル）イソシアヌレートを、本発明で規定された範囲内で５．０ｗｔ％含む。実施例Ｄ８では、ビス（２−カルボキシエチル）イソシアヌレートを、本発明で規定された範囲内で５．０ｗｔ％含む。また、実施例Ａ８、実施例Ｂ８、実施例Ｃ８、実施例Ｄ８では、ロジンとして重合ロジンを、本発明で規定された範囲内で４５．０ｗｔ％含む。さらに、アミンとしてモノエタノールアミンを、本発明で規定された範囲内で１０．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３４．０ｗｔ％含む。
【手続補正４０】
【補正対象書類名】明細書
【補正対象項目名】００９２
【補正方法】変更
【補正の内容】
【００９２】
実施例Ａ９、実施例Ｂ９、実施例Ｃ９、実施例Ｄ９は、イソシアヌル酸（カルボキシアルキル）付加体以外の有機酸を含有するもので、実施例Ａ９では、トリス（２−カルボキシエチル）イソシアヌレートを、本発明で規定された範囲内で０．５ｗｔ％含む。実施例Ｂ９では、トリス（１−カルボキシメチル）イソシアヌレートを、本発明で規定された範囲内で０．５ｗｔ％含む。実施例Ｃ９では、トリス（３−カルボキシプロピル）イソシアヌレートを、本発明で規定された範囲内で０．５ｗｔ％含む。実施例Ｄ９では、ビス（２−カルボキシエチル）イソシアヌレートを、本発明で規定された範囲内で０．５ｗｔ％含む。また、実施例Ａ９、実施例Ｂ９、実施例Ｃ９、実施例Ｄ９では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で１０．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３３．５ｗｔ％含む。
【手続補正４１】
【補正対象書類名】明細書
【補正対象項目名】００９３
【補正方法】変更
【補正の内容】
【００９３】
実施例Ａ９、実施例Ｂ９、実施例Ｃ９、実施例Ｄ９では、イソシアヌル酸（カルボキシアルキル）付加体以外の有機酸を含有することで、イソシアヌル酸（カルボキシアルキル）付加体の含有量を、本発明で規定される範囲内で減らしても、はんだの濡れ広がり径が上述した判定基準を満たし、はんだの濡れ広がり性に対して十分な効果が得られた。
【手続補正４２】
【補正対象書類名】明細書
【補正対象項目名】００９４
【補正方法】変更
【補正の内容】
【００９４】
実施例Ａ１０〜実施例Ａ１２、実施例Ｂ１０〜実施例Ｂ１２、実施例Ｃ１０〜実施例Ｃ１２、実施例Ｄ１０〜実施例Ｄ１２は、イソシアヌル酸（カルボキシアルキル）付加体以外の有機酸を含有し、アミンの種類を変えたもので、実施例Ａ１０では、トリス（２−カルボキシエチル）イソシアヌレートを、本発明で規定された範囲内で５．０ｗｔ％含む。実施例Ｂ１０では、トリス（１−カルボキシメチル）イソシアヌレートを、本発明で規定された範囲内で５．０ｗｔ％含む。実施例Ｃ１０では、トリス（３−カルボキシプロピル）イソシアヌレートを、本発明で規定された範囲内で５．０ｗｔ％含む。実施例Ｄ１０では、ビス（２−カルボキシエチル）イソシアヌレートを、本発明で規定された範囲内で５．０ｗｔ％含む。また、実施例Ａ１０、実施例Ｂ１０、実施例Ｃ１０、実施例Ｄ１０では、ロジンとして重合ロジンを、本発明で規定された範囲内で４５．０ｗｔ％含む。さらに、有機酸としてグルタル酸を、本発明で規定される範囲内で５．０ｗｔ％、アミンとしてジフェニルグアニジンを、本発明で規定された範囲内で２．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３７．０ｗｔ％含む。
【手続補正４３】
【補正対象書類名】明細書
【補正対象項目名】００９６
【補正方法】変更
【補正の内容】
【００９６】
実施例Ａ１１では、トリス（２−カルボキシエチル）イソシアヌレートを、本発明で規定された範囲内で５．０ｗｔ％含む。実施例Ｂ１１では、トリス（１−カルボキシメチル）イソシアヌレートを、本発明で規定された範囲内で５．０ｗｔ％含む。実施例Ｃ１１では、トリス（３−カルボキシプロピル）イソシアヌレートを、本発明で規定された範囲内で５．０ｗｔ％含む。実施例Ｄ１１では、ビス（２−カルボキシエチル）イソシアヌレートを、本発明で規定された範囲内で５．０ｗｔ％含む。また、実施例Ａ１１、実施例Ｂ１１、実施例Ｃ１１、実施例Ｄ１１では、ロジンとして重合ロジンを、本発明で規定された範囲内で４５．０ｗｔ％含む。さらに、有機酸としてグルタル酸を、本発明で規定される範囲内で５．０ｗｔ％、アミンとして２−フェニルイミダゾールを、本発明で規定された範囲内で２．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３７．０ｗｔ％含む。
【手続補正４４】
【補正対象書類名】明細書
【補正対象項目名】００９８
【補正方法】変更
【補正の内容】
【００９８】
実施例Ａ１２では、トリス（２−カルボキシエチル）イソシアヌレートを、本発明で規定された範囲内で５．０ｗｔ％含む。実施例Ｂ１２では、トリス（１−カルボキシメチル）イソシアヌレートを、本発明で規定された範囲内で５．０ｗｔ％含む。実施例Ｃ１２では、トリス（３−カルボキシプロピル）イソシアヌレートを、本発明で規定された範囲内で５．０ｗｔ％含む。実施例Ｄ１２では、ビス（２−カルボキシエチル）イソシアヌレートを、本発明で規定された範囲内で５．０ｗｔ％含む。また、実施例Ａ１２、実施例Ｂ１２、実施例Ｃ１２、実施例Ｄ１２では、ロジンとして重合ロジンを、本発明で規定された範囲内で４５．０ｗｔ％含む。さらに、有機酸としてグルタル酸を、本発明で規定される範囲内で５．０ｗｔ％、アミンとして２−フェニル−４−メチルイミダゾールを、本発明で規定された範囲内で２．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３７．０ｗｔ％含む。
【手続補正４５】
【補正対象書類名】明細書
【補正対象項目名】０１００
【補正方法】変更
【補正の内容】
【０１００】
実施例Ａ１３、実施例Ｂ１３、実施例Ｃ１３，実施例Ｄ１３は、イソシアヌル酸（カルボキシアルキル）付加体以外の有機酸の量を変えたもので、実施例Ａ１３では、トリス（２−カルボキシエチル）イソシアヌレートを、本発明で規定された範囲内で５．０ｗｔ％含む。実施例Ｂ１３では、トリス（１−カルボキシメチル）イソシアヌレートを、本発明で規定された範囲内で５．０ｗｔ％含む。実施例Ｃ１３では、トリス（３−カルボキシプロピル）イソシアヌレートを、本発明で規定された範囲内で５．０ｗｔ％含む。実施例Ｄ１３では、ビス（２−カルボキシエチル）イソシアヌレートを、本発明で規定された範囲内で５．０ｗｔ％含む。また、実施例Ａ１３、実施例Ｂ１３、実施例Ｃ１３、実施例Ｄ１３では、ロジンとして重合ロジンを、本発明で規定された範囲内で４５．０ｗｔ％含む。さらに、有機酸としてグルタル酸を、本発明で規定される範囲内で１０．０ｗｔ％、アミンを含まず、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３４．０ｗｔ％含む。
【手続補正４６】
【補正対象書類名】明細書
【補正対象項目名】０１０１
【補正方法】変更
【補正の内容】
【０１０１】
実施例Ａ１３、実施例Ｂ１３、実施例Ｃ１３、実施例Ｄ１３では、イソシアヌル酸（カルボキシアルキル）付加体以外の有機酸の含有量を、本発明で規定される範囲内で増やすことで、アミンを含まずとも、はんだの濡れ広がり径が上述した判定基準を満たし、はんだの濡れ広がり性に対して十分な効果が得られた。
【手続補正４７】
【補正対象書類名】明細書
【補正対象項目名】０１０２
【補正方法】変更
【補正の内容】
【０１０２】
実施例Ａ１４、実施例Ｂ１４、実施例Ｃ１４，実施例Ｄ１４は、イソシアヌル酸（カルボキシアルキル）付加体以外の有機酸の量を変えたもので、実施例Ａ１４では、トリス（２−カルボキシエチル）イソシアヌレートを、本発明で規定された範囲内で５．０ｗｔ％含む。実施例Ｂ１４では、トリス（１−カルボキシメチル）イソシアヌレートを、本発明で規定された範囲内で５．０ｗｔ％含む。実施例Ｃ１４では、トリス（３−カルボキシプロピル）イソシアヌレートを、本発明で規定された範囲内で５．０ｗｔ％含む。実施例Ｄ１４では、ビス（２−カルボキシエチル）イソシアヌレートを、本発明で規定された範囲内で５．０ｗｔ％含む。また、実施例Ａ１４、実施例Ｂ１４、実施例Ｃ１４、実施例Ｄ１４では、ロジンとして重合ロジンを、本発明で規定された範囲内で４５．０ｗｔ％含む。さらに、有機酸としてアジピン酸を、本発明で規定される範囲内で５．０ｗｔ％、アミンを含まず、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正４８】
【補正対象書類名】明細書
【補正対象項目名】０１０３
【補正方法】変更
【補正の内容】
【０１０３】
実施例Ａ１４、実施例Ｂ１４、実施例Ｃ１４、実施例Ｄ１４では、イソシアヌル酸（カルボキシアルキル）付加体以外の有機酸の種類を変えることで、アミンを含まずとも、はんだの濡れ広がり径が上述した判定基準を満たし、はんだの濡れ広がり性に対して十分な効果が得られた。
【手続補正４９】
【補正対象書類名】明細書
【補正対象項目名】０１０４
【補正方法】変更
【補正の内容】
【０１０４】
実施例Ａ１５〜実施例Ａ１６、実施例Ｂ１５〜実施例Ｂ１６、実施例Ｃ１５〜実施例Ｃ１６、実施例Ｄ１５〜実施例Ｄ１６は、イソシアヌル酸（カルボキシアルキル）付加体以外の有機酸を含有し、有機ハロゲン化合物の量を変えたもので、実施例Ａ１５では、トリス（２−カルボキシエチル）イソシアヌレートを、本発明で規定された範囲内で５．０ｗｔ％含む。実施例Ｂ１５では、トリス（１−カルボキシメチル）イソシアヌレートを、本発明で規定された範囲内で５．０ｗｔ％含む。実施例Ｃ１５では、トリス（３−カルボキシプロピル）イソシアヌレートを、本発明で規定された範囲内で５．０ｗｔ％含む。実施例Ｄ１５では、ビス（２−カルボキシエチル）イソシアヌレートを、本発明で規定された範囲内で５．０ｗｔ％含む。また、実施例Ａ１５、実施例Ｂ１５、実施例Ｃ１５、実施例Ｄ１５では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で５．０ｗｔ％、有機ハロゲン化合物を含まず、チキソ剤としてヒマシ硬化油を、本発明で規定される範囲内で５ｗｔ％含み、残部を溶剤としてヘキシルジグリコールを、本発明で規定された範囲内で３５．０ｗｔ％含む。
【手続補正５０】
【補正対象書類名】明細書
【補正対象項目名】０１０５
【補正方法】変更
【補正の内容】
【０１０５】
実施例Ａ１５、実施例Ｂ１５、実施例Ｃ１５、実施例Ｄ１５では、イソシアヌル酸（カルボキシアルキル）付加体以外の有機酸と、アミンを本発明で規定される範囲内で含有することで、有機ハロゲン化合物を含まずとも、はんだの濡れ広がり径が上述した判定基準を満たし、はんだの濡れ広がり性に対して十分な効果が得られた。
【手続補正５１】
【補正対象書類名】明細書
【補正対象項目名】０１０６
【補正方法】変更
【補正の内容】
【０１０６】
実施例Ａ１６では、トリス（２−カルボキシエチル）イソシアヌレートを、本発明で規定された範囲内で５．０ｗｔ％含む。実施例Ｂ１６では、トリス（１−カルボキシメチル）イソシアヌレートを、本発明で規定された範囲内で５．０ｗｔ％含む。実施例Ｃ１６では、トリス（３−カルボキシプロピル）イソシアヌレートを、本発明で規定された範囲内で５．０ｗｔ％含む。実施例Ｄ１６では、ビス（２−カルボキシエチル）イソシアヌレートを、本発明で規定された範囲内で５．０ｗｔ％含む。また、実施例Ａ１６、実施例Ｂ１６、実施例Ｃ１６、実施例Ｄ１６では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で５．０ｗｔ％、チキソ剤としてヒマシ硬化油を、本発明で規定される範囲内で５ｗｔ％含み、残部を溶剤としてヘキシルジグリコールを、本発明で規定された範囲内で３０．０ｗｔ％含む。
【手続補正５２】
【補正対象書類名】明細書
【補正対象項目名】０１０７
【補正方法】変更
【補正の内容】
【０１０７】
実施例Ａ１６、実施例Ｂ１６、実施例Ｃ１６、実施例Ｄ１６では、イソシアヌル酸（カルボキシアルキル）付加体以外の有機酸と、アミンと、さらに有機ハロゲン化合物を本発明で規定される範囲内で含有することでも、はんだの濡れ広がり径が上述した判定基準を満たし、はんだの濡れ広がり性に対して十分な効果が得られた。
【手続補正５３】
【補正対象書類名】明細書
【補正対象項目名】０１０８
【補正方法】変更
【補正の内容】
【０１０８】
実施例Ａ１７、実施例Ｂ１７、実施例Ｃ１７、実施例Ｄ１７は、イソシアヌル酸（カルボキシアルキル）付加体以外の有機酸を含有し、有機ハロゲン化合物の種類を変えたもので、実施例Ａ１７では、トリス（２−カルボキシエチル）イソシアヌレートを、本発明で規定された範囲内で５．０ｗｔ％含む。実施例Ｂ１７では、トリス（１−カルボキシメチル）イソシアヌレートを、本発明で規定された範囲内で５．０ｗｔ％含む。実施例Ｃ１７では、トリス（３−カルボキシプロピル）イソシアヌレートを、本発明で規定された範囲内で５．０ｗｔ％含む。実施例Ｄ１７では、ビス（２−カルボキシエチル）イソシアヌレートを、本発明で規定された範囲内で５．０ｗｔ％含む。また、実施例Ａ１７、実施例Ｂ１７、実施例Ｃ１７、実施例Ｄ１７では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で５．０ｗｔ％、有機ハロゲン化合物としてトリアリルイソシアヌレート６臭化物を、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３４．０ｗｔ％含む。
【手続補正５４】
【補正対象書類名】明細書
【補正対象項目名】０１１０
【補正方法】変更
【補正の内容】
【０１１０】
実施例Ａ１８、実施例Ｂ１８、実施例Ｃ１８、実施例Ｄ１８は、イソシアヌル酸（カルボキシアルキル）付加体以外の有機酸を含有し、アミンハロゲン水素酸塩を含有するもので、実施例Ａ１８では、トリス（２−カルボキシエチル）イソシアヌレートを、本発明で規定された範囲内で５．０ｗｔ％含む。実施例Ｂ１８では、トリス（１−カルボキシメチル）イソシアヌレートを、本発明で規定された範囲内で５．０ｗｔ％含む。実施例Ｃ１８では、トリス（３−カルボキシプロピル）イソシアヌレートを、本発明で規定された範囲内で５．０ｗｔ％含む。実施例Ｄ１８では、ビス（２−カルボキシエチル）イソシアヌレートを、本発明で規定された範囲内で５．０ｗｔ％含む。また、実施例Ａ１８、実施例Ｂ１８、実施例Ｃ１８、実施例Ｄ１８では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で５．０ｗｔ％、アミンハロゲン水素酸塩としてアニリン・ＨＣｌを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３４．０ｗｔ％含む。
【手続補正５５】
【補正対象書類名】明細書
【補正対象項目名】０１１２
【補正方法】変更
【補正の内容】
【０１１２】
実施例Ａ１９、実施例Ｂ１９、実施例Ｃ１９、実施例Ｄ１９は、イソシアヌル酸（カルボキシアルキル）付加体以外の有機酸を含有し、アミンハロゲン水素酸塩の種類を変えたもので、実施例Ａ１９では、トリス（２−カルボキシエチル）イソシアヌレートを、本発明で規定された範囲内で５．０ｗｔ％含む。実施例Ｂ１９では、トリス（１−カルボキシメチル）イソシアヌレートを、本発明で規定された範囲内で５．０ｗｔ％含む。実施例Ｃ１９では、トリス（３−カルボキシプロピル）イソシアヌレートを、本発明で規定された範囲内で５．０ｗｔ％含む。実施例Ｄ１９では、ビス（２−カルボキシエチル）イソシアヌレートを、本発明で規定された範囲内で５．０ｗｔ％含む。また、実施例Ａ１９、実施例Ｂ１９、実施例Ｃ１９、実施例Ｄ１９では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で５．０ｗｔ％、アミンハロゲン水素酸塩としてアニリン・ＨＢｒを、本発明で規定される範囲内で５．０ｗｔ％、チキソ剤としてヒマシ硬化油を、本発明で規定される範囲内で５ｗｔ％含み、残部を溶剤としてヘキシルジグリコールを、本発明で規定された範囲内で３０．０ｗｔ％含む。
【手続補正５６】
【補正対象書類名】明細書
【補正対象項目名】０１１４
【補正方法】変更
【補正の内容】
【０１１４】
実施例Ａ２０〜実施例Ａ２３、実施例Ｂ２０〜実施例Ｂ２３、実施例Ｃ２０〜実施例Ｃ２３，実施例Ｄ２０〜実施例Ｄ２３は、チキソ剤の量、種類を変えたもので、実施例Ａ２０では、トリス（２−カルボキシエチル）イソシアヌレートを、本発明で規定された範囲内で５．０ｗｔ％含む。実施例Ｂ２０では、トリス（１−カルボキシメチル）イソシアヌレートを、本発明で規定された範囲内で５．０ｗｔ％含む。実施例Ｃ２０では、トリス（３−カルボキシプロピル）イソシアヌレートを、本発明で規定された範囲内で５．０ｗｔ％含む。実施例Ｄ２０では、ビス（２−カルボキシエチル）イソシアヌレートを、本発明で規定された範囲内で５．０ｗｔ％含む。また、実施例Ａ２０、実施例Ｂ２０、実施例Ｃ２０、実施例Ｄ２０では、ロジンとして重合ロジンを、本発明で規定された範囲内で４５．０ｗｔ％、酸変性ロジンを、本発明で規定される範囲内で５ｗｔ％含む。ロジンの合計の含有量は、本発明で規定された範囲内である。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤を含まず、残部を溶剤としてヘキシルジグリコールを、本発明で規定された範囲内で３９．０ｗｔ％含む。
【手続補正５７】
【補正対象書類名】明細書
【補正対象項目名】０１１６
【補正方法】変更
【補正の内容】
【０１１６】
実施例Ａ２１では、トリス（２−カルボキシエチル）イソシアヌレートを、本発明で規定された範囲内で５．０ｗｔ％含む。実施例Ｂ２１では、トリス（１−カルボキシメチル）イソシアヌレートを、本発明で規定された範囲内で５．０ｗｔ％含む。実施例Ｃ２１では、トリス（３−カルボキシプロピル）イソシアヌレートを、本発明で規定された範囲内で５．０ｗｔ％含む。実施例Ｄ２１では、ビス（２−カルボキシエチル）イソシアヌレートを、本発明で規定された範囲内で５．０ｗｔ％含む。また、実施例Ａ２１、実施例Ｂ２１、実施例Ｃ２１、実施例Ｄ２１では、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてポリアマイド系チキソ剤を、本発明で規定される範囲内で５．０ｗｔ％含み、残部を溶剤としてヘキシルジグリコールを、本発明で規定された範囲内で３９．０ｗｔ％含む。
【手続補正５８】
【補正対象書類名】明細書
【補正対象項目名】０１１８
【補正方法】変更
【補正の内容】
【０１１８】
実施例Ａ２２では、トリス（２−カルボキシエチル）イソシアヌレートを、本発明で規定された範囲内で５．０ｗｔ％含む。実施例Ｂ２２では、トリス（１−カルボキシメチル）イソシアヌレートを、本発明で規定された範囲内で５．０ｗｔ％含む。実施例Ｃ２２では、トリス（３−カルボキシプロピル）イソシアヌレートを、本発明で規定された範囲内で５．０ｗｔ％含む。実施例Ｄ２２では、ビス（２−カルボキシエチル）イソシアヌレートを、本発明で規定された範囲内で５．０ｗｔ％含む。また、実施例Ａ２２、実施例Ｂ２２、実施例Ｃ２２、実施例Ｄ２２では、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてビスアマイド系チキソ剤を、本発明で規定される範囲内で５．０ｗｔ％含み、残部を溶剤としてヘキシルジグリコールを、本発明で規定された範囲内で３９．０ｗｔ％含む。
【手続補正５９】
【補正対象書類名】明細書
【補正対象項目名】０１２０
【補正方法】変更
【補正の内容】
【０１２０】
実施例Ａ２３では、トリス（２−カルボキシエチル）イソシアヌレートを、本発明で規定された範囲内で５．０ｗｔ％含む。実施例Ｂ２３では、トリス（１−カルボキシメチル）イソシアヌレートを、本発明で規定された範囲内で５．０ｗｔ％含む。実施例Ｃ２３では、トリス（３−カルボキシプロピル）イソシアヌレートを、本発明で規定された範囲内で５．０ｗｔ％含む。実施例Ｄ２３では、ビス（２−カルボキシエチル）イソシアヌレートを、本発明で規定された範囲内で５．０ｗｔ％含む。また、実施例Ａ２３、実施例Ｂ２３、実施例Ｃ２３、実施例Ｄ２３では、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてアマイド系チキソ剤を、本発明で規定される範囲内で５．０ｗｔ％含み、残部を溶剤としてヘキシルジグリコールを、本発明で規定された範囲内で３９．０ｗｔ％含む。
【手続補正６０】
【補正対象書類名】明細書
【補正対象項目名】０１２２
【補正方法】変更
【補正の内容】
【０１２２】
実施例Ａ２４〜実施例Ａ２６、実施例Ｂ２４〜実施例Ｂ２６、実施例Ｃ２４〜実施例Ｃ２６，実施例Ｄ２４〜実施例Ｄ２６は、他の樹脂を含有したもので、実施例Ａ２４では、トリス（２−カルボキシエチル）イソシアヌレートを、本発明で規定された範囲内で５．０ｗｔ％含む。実施例Ｂ２４では、トリス（１−カルボキシメチル）イソシアヌレートを、本発明で規定された範囲内で５．０ｗｔ％含む。実施例Ｃ２４では、トリス（３−カルボキシプロピル）イソシアヌレートを、本発明で規定された範囲内で５．０ｗｔ％含む。実施例Ｄ２４では、ビス（２−カルボキシエチル）イソシアヌレートを、本発明で規定された範囲内で５．０ｗｔ％含む。また、実施例Ａ２４、実施例Ｂ２４、実施例Ｃ２４、実施例Ｄ２４では、ロジンとして重合ロジンを、本発明で規定された範囲内で２５．０ｗｔ％、他の樹脂としてアクリル樹脂を、本発明で規定される範囲内で１０．０ｗｔ％、アクリル・ポリエチレン共重合樹脂を本発明で規定される範囲内で１０．０ｗｔ％含む。他の樹脂の合計の含有量は、本発明で規定された範囲内であり、アクリル樹脂とロジンの比率（アクリル樹脂／ロジン）は、本発明で規定される範囲内で０．８である。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【手続補正６１】
【補正対象書類名】明細書
【補正対象項目名】０１２４
【補正方法】変更
【補正の内容】
【０１２４】
実施例Ａ２５では、トリス（２−カルボキシエチル）イソシアヌレートを、本発明で規定された範囲内で５．０ｗｔ％含む。実施例Ｂ２５では、トリス（１−カルボキシメチル）イソシアヌレートを、本発明で規定された範囲内で５．０ｗｔ％含む。実施例Ｃ２５では、トリス（３−カルボキシプロピル）イソシアヌレートを、本発明で規定された範囲内で５．０ｗｔ％含む。実施例Ｄ２５では、ビス（２−カルボキシエチル）イソシアヌレートを、本発明で規定された範囲内で５．０ｗｔ％含む。また、実施例Ａ２５、実施例Ｂ２５、実施例Ｃ２５、実施例Ｄ２５では、ロジンとして重合ロジンを、本発明で規定された範囲内で４０．０ｗｔ％、アクリル樹脂を、本発明で規定される範囲内で５．０ｗｔ％含む。アクリル樹脂とロジンの比率（アクリル樹脂／ロジン）は、本発明で規定される範囲内で０．１２５である。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【手続補正６２】
【補正対象書類名】明細書
【補正対象項目名】０１２６
【補正方法】変更
【補正の内容】
【０１２６】
実施例Ａ２６では、トリス（２−カルボキシエチル）イソシアヌレートを、本発明で規定された範囲内で５．０ｗｔ％含む。実施例Ｂ２６では、トリス（１−カルボキシメチル）イソシアヌレートを、本発明で規定された範囲内で５．０ｗｔ％含む。実施例Ｃ２６では、トリス（３−カルボキシプロピル）イソシアヌレートを、本発明で規定された範囲内で５．０ｗｔ％含む。実施例Ｄ２６では、ビス（２−カルボキシエチル）イソシアヌレートを、本発明で規定された範囲内で５．０ｗｔ％含む。また、実施例Ａ２６、実施例Ｂ２６、実施例Ｃ２６、実施例Ｄ２６では、ロジンとして重合ロジンを、本発明で規定された範囲内で５．０ｗｔ％、アクリル樹脂を、本発明で規定される範囲内で２０．０ｗｔ％、アクリル・ポリエチレン共重合樹脂を本発明で規定される範囲内で１０．０ｗｔ％含む。他の樹脂の合計の含有量は、本発明で規定された範囲内であり、アクリル樹脂とロジンの比率（アクリル樹脂／ロジン）は、本発明で規定される範囲内で６．０である。また、有機酸としてアジピン酸を、本発明で規定される範囲内で５．０ｗｔ％、水添ダイマー酸を、本発明で規定される範囲内で５．０ｗｔ％含む。有機酸の合計の含有量は、本発明で規定された範囲内である。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【手続補正６３】
【補正対象書類名】明細書
【補正対象項目名】０１２８
【補正方法】変更
【補正の内容】
【０１２８】
これに対し、比較例Ａ１では、トリス（２−カルボキシエチル）イソシアヌレートを含まず、他のイソシアヌル酸（カルボキシアルキル）付加体も含まない。比較例Ｂ１では、トリス（１−カルボキシメチル）イソシアヌレートを含まず、他のイソシアヌル酸（カルボキシアルキル）付加体も含まない。比較例Ｃ１では、トリス（３−カルボキシプロピル）イソシアヌレートを含まず、他のイソシアヌル酸（カルボキシアルキル）付加体も含まない。比較例Ｄ１は、ビス（２−カルボキシエチル）イソシアヌレートを含まず、他のイソシアヌル酸（カルボキシアルキル）付加体も含まない。また、比較例Ａ１、比較例Ｂ１、比較例Ｃ１、比較例Ｄ１では、ロジンとして重合ロジンを、本発明で規定された範囲内で４５．０ｗｔ％、有機酸としてグルタル酸を、本発明で規定される範囲内で５．０ｗｔ％、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【手続補正６４】
【補正対象書類名】明細書
【補正対象項目名】０１２９
【補正方法】変更
【補正の内容】
【０１２９】
比較例Ａ１、比較例Ｂ１、比較例Ｃ１、比較例Ｄ１では、イソシアヌル酸（カルボキシアルキル）付加体の何れも含まないことで、ロジン、有機酸、アミン、有機ハロゲン化合物、チキソ剤、溶剤を、本発明で規定される範囲内で含んでも、はんだの濡れ広がり径が上述した判定基準を満たさず、はんだの濡れ広がり性に対して効果が得られなかった。
【手続補正６５】
【補正対象書類名】明細書
【補正対象項目名】０１３０
【補正方法】変更
【補正の内容】
【０１３０】
比較例Ａ２では、トリス（２−カルボキシエチル）イソシアヌレートを含まず、他のイソシアヌル酸（カルボキシアルキル）付加体も含まない。比較例Ｂ２では、トリス（１−カルボキシメチル）イソシアヌレートを含まず、他のイソシアヌル酸（カルボキシアルキル）付加体も含まない。比較例Ｃ２では、トリス（３−カルボキシプロピル）イソシアヌレートを含まず、他のイソシアヌル酸（カルボキシアルキル）付加体も含まない。比較例Ｄ２は、ビス（２−カルボキシエチル）イソシアヌレートを含まず、他のイソシアヌル酸（カルボキシアルキル）付加体も含まない。また、比較例Ａ１、比較例Ｂ１、比較例Ｃ１、比較例Ｄ１では、ロジンとして重合ロジンを、本発明で規定された範囲内で４５．０ｗｔ％、有機酸としてアジピン酸を、本発明で規定される範囲内で５．０ｗｔ％、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【手続補正６６】
【補正対象書類名】明細書
【補正対象項目名】０１３１
【補正方法】変更
【補正の内容】
【０１３１】
比較例Ａ２、比較例Ｂ２、比較例Ｃ２、比較例Ｄ２では、イソシアヌル酸（カルボキシアルキル）付加体の何れも含まないことで、ロジン、有機酸、アミン、有機ハロゲン化合物、チキソ剤、溶剤を、本発明で規定される範囲内で含み、かつ有機酸の種類を変えても、はんだの濡れ広がり径が上述した判定基準を満たさず、はんだの濡れ広がり性に対して効果が得られなかった。
【手続補正６７】
【補正対象書類名】明細書
【補正対象項目名】０１３２
【補正方法】変更
【補正の内容】
【０１３２】
表９は、イソシアヌル酸（カルボキシアルキル）付加体としてトリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートを複合添加した実施例、イソシアヌル酸（カルボキシアルキル）付加体の何れも含まない比較例である。
【手続補正６８】
【補正対象書類名】明細書
【補正対象項目名】０１３３
【補正方法】変更
【補正の内容】
【０１３３】
実施例Ｅ１では、トリス（２−カルボキシエチル）イソシアヌレートを、本発明で規定された範囲内で１．２５ｗｔ％、トリス（１−カルボキシメチル）イソシアヌレートを、本発明で規定された範囲内で１．２５ｗｔ％、トリス（３−カルボキシプロピル）イソシアヌレートを、本発明で規定された範囲内で１．２５ｗｔ％、ビス（２−カルボキシエチル）イソシアヌレートを、本発明で規定された範囲内で１．２５ｗｔ％含む。イソシアヌル酸（カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正６９】
【補正対象書類名】明細書
【補正対象項目名】０１３４
【補正方法】変更
【補正の内容】
【０１３４】
実施例Ｅ１では、イソシアヌル酸（カルボキシアルキル）付加体を複合添加しても、はんだの濡れ広がり径が上述した判定基準を満たし、はんだの濡れ広がり性に対して十分な効果が得られた。
【手続補正７０】
【補正対象書類名】明細書
【補正対象項目名】０１３５
【補正方法】変更
【補正の内容】
【０１３５】
実施例Ｅ２では、トリス（２−カルボキシエチル）イソシアヌレートを、本発明で規定された範囲内で２．５ｗｔ％、トリス（１−カルボキシメチル）イソシアヌレートを、本発明で規定された範囲内で２．５ｗｔ％含む。イソシアヌル酸（カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正７１】
【補正対象書類名】明細書
【補正対象項目名】０１３７
【補正方法】変更
【補正の内容】
【０１３７】
実施例Ｅ３では、トリス（２−カルボキシエチル）イソシアヌレートを、本発明で規定された範囲内で２．５ｗｔ％、トリス（３−カルボキシプロピル）イソシアヌレートを、本発明で規定された範囲内で２．５ｗｔ％含む。イソシアヌル酸（カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正７２】
【補正対象書類名】明細書
【補正対象項目名】０１３９
【補正方法】変更
【補正の内容】
【０１３９】
実施例Ｅ４では、トリス（２−カルボキシエチル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸（カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正７３】
【補正対象書類名】明細書
【補正対象項目名】０１４１
【補正方法】変更
【補正の内容】
【０１４１】
実施例Ｅ５では、トリス（１−カルボキシメチル）イソシアヌレートを、本発明で規定された範囲内で２．５ｗｔ％、トリス（３−カルボキシプロピル）イソシアヌレートを、本発明で規定された範囲内で２．５ｗｔ％含む。イソシアヌル酸（カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正７４】
【補正対象書類名】明細書
【補正対象項目名】０１４３
【補正方法】変更
【補正の内容】
【０１４３】
実施例Ｅ６では、トリス（１−カルボキシメチル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸（カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正７５】
【補正対象書類名】明細書
【補正対象項目名】０１４５
【補正方法】変更
【補正の内容】
【０１４５】
実施例Ｅ７では、トリス（３−カルボキシプロピル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸（カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正７６】
【補正対象書類名】明細書
【補正対象項目名】０１４７
【補正方法】変更
【補正の内容】
【０１４７】
実施例Ｅ８では、トリス（２−カルボキシエチル）イソシアヌレートを、本発明で規定された範囲内で２．５ｗｔ％、トリス（１−カルボキシメチル）イソシアヌレートを、本発明で規定された範囲内で２．５ｗｔ％、トリス（３−カルボキシプロピル）イソシアヌレートを、本発明で規定された範囲内で２．５ｗｔ％含む。イソシアヌル酸（カルボキシアルキル）付加体の合計の含有量は７．５ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で３．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３８．５ｗｔ％含む。
【手続補正７７】
【補正対象書類名】明細書
【補正対象項目名】０１４９
【補正方法】変更
【補正の内容】
【０１４９】
実施例Ｅ９では、トリス（２−カルボキシエチル）イソシアヌレートを、本発明で規定された範囲内で２．５ｗｔ％、トリス（１−カルボキシメチル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸（カルボキシアルキル）付加体の合計の含有量は７．５ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で３．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３８．５ｗｔ％含む。
【手続補正７８】
【補正対象書類名】明細書
【補正対象項目名】０１５１
【補正方法】変更
【補正の内容】
【０１５１】
実施例Ｅ１０では、トリス（２−カルボキシエチル）イソシアヌレートを、本発明で規定された範囲内で２．５ｗｔ％、トリス（３−カルボキシプロピル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸（カルボキシアルキル）付加体の合計の含有量は７．５ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で３．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３８．５ｗｔ％含む。
【手続補正７９】
【補正対象書類名】明細書
【補正対象項目名】０１５３
【補正方法】変更
【補正の内容】
【０１５３】
実施例Ｅ１１では、トリス（１−カルボキシメチル）イソシアヌレートを、本発明で規定された範囲内で２．５ｗｔ％、トリス（３−カルボキシプロピル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸（カルボキシアルキル）付加体の合計の含有量は７．５ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で３．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３８．５ｗｔ％含む。
【手続補正８０】
【補正対象書類名】明細書
【補正対象項目名】０１５５
【補正方法】変更
【補正の内容】
【０１５５】
これに対し、比較例Ｅ１では、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートトリス（２−カルボキシエチル）イソシアヌレートの何れも含まない。また、ロジンとして重合ロジンを、本発明で規定された範囲内で４５．０ｗｔ％、有機酸としてグルタル酸を、本発明で規定される範囲内で５．０ｗｔ％、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【手続補正８１】
【補正対象書類名】明細書
【補正対象項目名】０１５６
【補正方法】変更
【補正の内容】
【０１５６】
比較例Ｅ１では、イソシアヌル酸（カルボキシアルキル）付加体の何れも含まないことで、ロジン、有機酸、アミン、有機ハロゲン化合物、チキソ剤、溶剤を、本発明で規定される範囲内で含んでも、はんだの濡れ広がり径が上述した判定基準を満たさず、はんだの濡れ広がり性に対して効果が得られなかった。
【手続補正８２】
【補正対象書類名】明細書
【補正対象項目名】０１５７
【補正方法】変更
【補正の内容】
【０１５７】
比較例Ｅ２では、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートの何れも含まない。また、ロジンとして重合ロジンを、本発明で規定された範囲内で４５．０ｗｔ％、有機酸としてアジピン酸を、本発明で規定される範囲内で５．０ｗｔ％、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【手続補正８３】
【補正対象書類名】明細書
【補正対象項目名】０１５８
【補正方法】変更
【補正の内容】
【０１５８】
比較例Ｅ２では、イソシアヌル酸（カルボキシアルキル）付加体の何れも含まないことで、ロジン、有機酸、アミン、有機ハロゲン化合物、チキソ剤、溶剤を、本発明で規定される範囲内で含み、かつ有機酸の種類を変えても、はんだの濡れ広がり径が上述した判定基準を満たさず、はんだの濡れ広がり性に対して効果が得られなかった。
【手続補正８４】
【補正対象書類名】明細書
【補正対象項目名】０１５９
【補正方法】変更
【補正の内容】
【０１５９】
以上のことから、イソシアヌル酸（カルボキシアルキル）付加体を０．５ｗｔ％以上２０．０ｗｔ％以下、ロジンを５．０ｗｔ％以上５０．０ｗｔ％以下含み、さらに溶剤を含むフラックスでは、所望の温度域で酸化物の除去効果が高められた。
【手続補正８５】
【補正対象書類名】明細書
【補正対象項目名】０１６１
【補正方法】変更
【補正の内容】
【０１６１】
これらの効果は、はんだの濡れ広がり性を向上させる本実施の形態のフラックスにおいて任意添加物であるアクリル樹脂、イソシアヌル酸（カルボキシアルキル）付加体以外の他の有機酸、アミン、有機ハロゲン化合物、アミンハロゲン化水素酸塩、チキソ剤を、本発明で規定される範囲内で含むことでも阻害されなかった。